(57)【特許請求の範囲】
【請求項１】
互いに孤立した複数の情報記録セルが配列されたデータ領域を有する情報記録媒体であって、
上記データ領域は、上記情報記録媒体の円周方向において交互に配置された第１の情報記録セル群及び第２の情報記録セル群を備え、
上記第１の情報記録セル群及び第２の情報記録セル群にそれぞれ含まれる情報記録セルは、トラックピッチが等しい複数のトラックに形成されていると共に、隣接するトラックに形成された情報記録セルと互い違いになるように配置されており、
上記第２の情報記録セル群の各トラックの半径方向における半径位置は、上記第１の情報記録セル群の各トラックの半径方向における半径位置と異なり、
上記情報記録セルは、第１の情報記録セルと、該第１の情報記録セルが形成されたトラックと隣接するトラックに形成された第２の情報記録セルと、該第１の情報記録セルが形成されたトラックと２番目に隣接するトラックに形成された第３の情報記録セルと、を含み、
上記第１の情報記録セルの円周方向における周方向位置は、隣り合った２つの上記第２の情報記録セルの円周方向における中心位置と異なり、
上記第１の情報記録セルと、内周側に隣接するトラックにおいて該第１の情報記録セルと最も近接した周方向位置にある上記第２の情報記録セルとの円周方向における距離は、該第１の情報記録セルと、外周側に隣接するトラックにおいて該第１の情報記録セルと最も近接した周方向位置にある上記第２の情報記録セルとの円周方向における距離と等しく、
上記第１の情報記録セルと、内周側に隣接するトラックにおいて該第１の情報記録セルと２番目に近接した周方向位置にある上記第２の情報記録セルとの円周方向における距離は、該第１の情報記録セルと、外周側に隣接するトラックにおいて該第１の情報記録セルと２番目に近接した周方向位置にある上記第２の情報記録セルとの円周方向における距離と等しく、
上記第１の情報記録セルの周方向位置は、上記第３の情報記録セルの周方向位置と異なることを特徴とする情報記録媒体。
【請求項２】
上記第２の情報記録セル群の各トラックの半径方向における半径位置は、上記第１の情報記録セル群の各トラックの半径方向における半径位置とトラックピッチの半分だけ異なることを特徴とする請求項１に記載の情報記録媒体。
【請求項３】
上記情報記録セルは、磁化方向の違いによって情報が記録される磁気記録セルであることを特徴とする請求項１又は２に記載の情報記録媒体。
【請求項４】
各トラックを識別するトラック識別情報が記録されたアドレス領域を備えたことを特徴とする請求項３に記載の情報記録媒体。
【請求項５】
請求項３又は４に記載の情報記録媒体と、該情報記録媒体に対して情報の記録再生を行う磁気記録素子及び磁気再生素子を備えた記録再生ヘッドと、を備えた磁気記録再生装置であって、
上記第１の情報記録セル群の情報記録セルに対して情報の記録再生を行うとき、上記磁気再生素子が上記第２の情報記録セル群の情報記録セルから検出する信号の信号波形をもとに、該第１の情報記録セル群の情報記録セルに対するトラッキング制御を行うか、
又は、
上記第２の情報記録セル群の情報記録セルに対して情報の記録再生を行うとき、上記磁気再生素子が上記第１の情報記録セル群の情報記録セルから検出する信号の信号波形をもとに、該第２の情報記録セル群の情報記録セルに対するトラッキング制御を行うことを特徴とする磁気記録再生装置。
【請求項６】
上記第１の情報記録セル群の情報記録セルに対して情報の記録を行うとき、上記磁気再生素子が上記第２の情報記録セル群の情報記録セルから検出する信号の信号波形をもとに、該第１の情報記録セル群の情報記録セルに対する記録タイミング制御を行うか、
又は、
上記第２の情報記録セル群の情報記録セルに対して情報の記録を行うとき、上記磁気再生素子が上記第１の情報記録セル群の情報記録セルから検出する信号の信号波形をもとに、該第２の情報記録セル群の情報記録セルに対する記録タイミング制御を行うことを特徴とする請求項５に記載の磁気記録再生装置。
【請求項７】
上記情報記録セルは、第１の情報記録セルと、該第１の情報記録セルが形成されたトラックと隣接するトラックに形成された第２の情報記録セルと、を含み、
上記磁気再生素子の円周方向における空間分解可能幅Ｓｗとし、上記第１の情報記録セルと、該第１の情報記録セルと最も近接した周方向位置にある上記第２の情報記録セルとの円周方向における距離Ｄとするとき、Ｓｗ＜Ｄであることを特徴とする請求項５又は６に記載の磁気記録再生装置。
【請求項８】
上記磁気記録素子と上記磁気再生素子との半径方向における距離を検出する距離検出動作を行うことを特徴とする請求項５〜７の何れか１項に記載の磁気記録再生装置。
【請求項９】
上記距離検出動作は、
上記磁気記録素子による記録動作、上記磁気再生素子による再生動作、及び該磁気再生素子が検出する再生信号から得られるエラーレートを記憶する記憶動作を、上記記録再生ヘッドの、上記情報記録媒体の半径方向における半径位置毎に繰り返し行う動作と、
上記記憶動作時に記憶したエラーレートのうち、最小のエラーレートとなる上記記録動作を行ったときの上記記録再生ヘッドの上記情報記録媒体における半径位置ｒ１とし、該最小のエラーレートとなる上記再生動作を行ったときの上記記録再生ヘッドの上記情報記録媒体における半径位置ｒ２とするとき、該磁気記録素子と該磁気再生素子との半径方向における距離を（ｒ１−ｒ２）と決定する動作と、を含むことを特徴とする請求項８に記載の磁気記録再生装置。
【請求項１０】
上記情報記録セルは、光が照射されることによって情報が記録される光記録セルであることを特徴とする請求項１又は２に記載の情報記録媒体。
【請求項１１】
各トラックを識別するトラック識別情報が記録されたアドレス領域を備えたことを特徴とする請求項１０に記載の情報記録媒体。
【請求項１２】
請求項１０又は１１に記載の情報記録媒体と、該情報記録媒体に対して情報の記録再生を行う発光素子及び受光素子と備えた記録再生ヘッドと、を備えた光記録再生装置であって、
上記第１の情報記録セル群の情報記録セルに対して情報の記録再生を行うとき、上記受光素子が上記第２の情報記録セル群の情報記録セルから検出する信号の信号波形をもとに、該第１の情報記録セル群の情報記録セルに対するトラッキング制御を行うか、
又は、
上記第２の情報記録セル群の情報記録セルに対して情報の記録再生を行うとき、上記受光素子が上記第１の情報記録セル群の情報記録セルから検出する信号の信号波形をもとに、該第２の情報記録セル群の情報記録セルに対するトラッキング制御を行うことを特徴とする光記録再生装置。
【請求項１３】
上記第１の情報記録セル群の情報記録セルに対して情報の記録を行うとき、上記受光素子が上記第２の情報記録セル群の情報記録セルから検出する信号の信号波形をもとに、該第１の情報記録セル群の情報記録セルに対する記録タイミング制御を行うか、
又は、
上記第２の情報記録セル群の情報記録セルに対して情報の記録を行うとき、上記受光素子が上記第１の情報記録セル群の情報記録セルから検出する信号の信号波形をもとに、該第２の情報記録セル群の情報記録セルに対する記録タイミング制御を行うことを特徴とする請求項１２に記載の光記録再生装置。
【発明の詳細な説明】
【技術分野】
【０００１】
本発明は、パターンドメディアのような高密度に情報を記録可能な情報記録媒体に関する。また、本発明は、上記情報記録媒体に対して情報の記録再生を行うことが可能な磁気記録再生装置及び光記録再生装置に関する。
【背景技術】
【０００２】
近年、画像又は映像の高画質化が進み、ユーザが扱う情報量は益々増加している。このため、ＨＤＤ（Hard Disk Drive）と呼ばれる磁気記録装置の大容量化に向けて、面記録密度の高密度化検討が広く行われている。この検討において、高密度磁気記録における有望な技術の一つとして、孤立した磁気記録セルを配列した磁気記録媒体（すなわち、非磁性材料の中に磁性粒子を等間隔で規則正しく並べた磁気記録媒体）であるパターンドメディアが挙げられる。このパターンドメディアの構成によれば、粒子間の磁気的な相互作用が少なくなるため、媒体雑音が低減し、記録密度の大幅な向上を図ることが可能である。
【０００３】
従来の磁気記録媒体では、媒体面内方向に一様に（連続的に）形成された磁性層においては、記録マークのエッジが結晶粒の粒界位置となる。このため、微小な記録マークで高いＳ／Ｎ比（Signal to Noise Ratio）を確保するためには、結晶粒の大きさを小さくする必要がある。しかしながら、結晶粒の大きさを小さくすることに伴って磁化の最小単位体積が減少することにより、結晶粒内での磁化量が小さくなってしまう。この結果、従来の磁気記録媒体では、物性的な限界を示す熱揺らぎ等による磁化反転が生じやすくなるため、磁気情報が消失しやすくなってしまうという問題があった。すなわち、従来の磁気記録媒体では、記録された情報を安定状態に保つことが困難であった。
【０００４】
一方、パターンドメディアでは、互いに磁気的に分離された磁気記録セルに磁気情報が記録されており、記録マークのエッジが磁気記録セルのエッジとなる。従って、上述した従来の磁気記録媒体とは異なり、高いＳ／Ｎ比を確保するために、磁化の最小単位体積を特別に小さくする必要がない。このため、パターンドメディアでは、熱揺らぎ等を回避しやすくなる（すなわち、熱揺らぎ等による磁化反転が生じにくくなる）ため、従来の磁気記録媒体よりも高い記録密度を実現できる。
【０００５】
このようなパターンドメディアの技術として、例えば特許文献１、２が挙げられる。特許文献１には、データ信号記憶領域とトラッキングサーボ信号記憶領域とを含むパターンドメディアが開示されている。また、特許文献２には、ナノホールの規則配列の複数が交互に隣接してなり、隣接する該規則配列が互いに異なる構成を有するパターンドメディアが開示されている。
【０００６】
特に、特許文献２の技術では、上記のようにナノホールを配列されたパターンドメディアに記録する磁気記録装置が、該パターンドメディアに対して容易にトラッキング制御を行うことができる。また、特許文献２では、上記磁気記録装置がトラッキング制御をより容易に行うことを可能とするために、任意の規則配列をデータ領域とし、該規則配列に隣接する他の規則配列をガードバンド領域とした構成を有するパターンドメディアについても開示している。この構成の場合、ガードバンド領域がトラッキング制御用の領域として機能している。
【特許文献１】特開２００３−１９６８１５号公報（平成１５年７月１１日公開）
【特許文献２】特開２００６−３４６８２０号公報（平成１８年１２月２８日公開）
【発明の開示】
【発明が解決しようとする課題】
【０００７】
しかしながら、パターンドメディアのような微小な磁気記録セルを有した高密度磁気記録媒体に形成された各トラック間のトラックピッチは、例えば５０ｎｍ程度と非常に狭い。このため、パターンドメディアに記録再生を行う磁気記録再生装置に備えられた記録再生ヘッド（記録素子又は再生素子）が、所望のトラックに対してわずかなズレを生じただけで、記録エラー又は再生エラーが発生しやすくなってしまうという虞がある。
【０００８】
一般に、磁気記録再生装置が磁気記録媒体に対してトラッキング制御を行うときの、磁気記録媒体の半径方向における記録再生ヘッドの位置決め要求精度は、トラックピッチの１０％以下とされている。このため、パターンドメディアのように面記録密度が１Ｔｂ／ｉｎ２ 程度のとき、上記位置決め要求精度として、数ｎｍ程度の精度が要求されると考えられる。
【０００９】
この要求を実現するために、上記磁気記録再生装置においてより正確なトラッキング制御を行う方法として、トラッキング用サーボパターンでの信号検出頻度を高くすることが考えられる。しかしながら、上記信号検出頻度を高くするために、磁気記録媒体に単純にサーボパターンを形成する領域を増加させることは、ユーザデータの記憶容量（磁気記録媒体に記録される情報量）を低下させてしまう虞がある。
【００１０】
また、パターンドメディアのような孤立した磁気記録セルを配列した磁気記録媒体においては、従来の磁気記録媒体とは異なり、予め形成される磁気記録セルが非常に小さい。一方で、磁気記録再生装置がこの磁気記録セルに情報の記録を行う場合には、磁気記録セルとタイミングを合わせる必要がある。つまり、非常に小さい磁気記録セルに情報の記録を行う場合には、従来の磁気記録再生装置よりもさらに高い精度で、磁気記録セルとの記録タイミングを合わせることが要求されると考えられる。
【００１１】
この要求を実現するために、上記磁気記録再生装置において磁気記録セルとの記録タイミングの精度をより高める方法として、記録タイミング制御用の信号検出頻度を高くすることが考えられる。しかしながら、単純に記録タイミング制御用の信号を検出するための領域を磁気記録媒体に増加させることは、上記と同様に、ユーザデータの記録容量を低下させてしまう虞がある。
【００１２】
なお、上記特許文献１の技術では、トラッキングサーボ信号記憶領域がデータ信号記憶領域とは別途設けられている。すなわち、特許文献１の技術では、上述のように、ユーザデータの記憶容量を低下させてしまう虞がある。
【００１３】
一方、上記特許文献２の技術では、磁気記録装置がより容易にトラッキング制御を行うためには、トラッキング制御用の領域としてガードバンド領域を設ける必要がある。すなわち、この場合にも特許文献１と同様、ユーザデータの記憶容量を低下させてしまう虞がある。また、特許文献２の技術においてガードバンド領域を設けない構成の場合、磁気記録装置によるトラッキング制御の精度は、ガードバンド領域を設けた構成の場合よりも低下してしまう。このため、特許文献２の技術では、ガードバンド領域を設けずにトラッキング制御の精度をより向上させることは困難である。
【００１４】
また、上記では磁気記録媒体について説明したが、光を照射することによって情報の記録再生が行われる光記録媒体についても、面記録密度の高密度化を検討する場合には、磁気記録媒体と同様の問題が生じる。また、この光記録媒体に対しては、光記録再生装置が情報の記録再生を行っているものとする。
【００１５】
本発明は、上記問題点に鑑みてなされたものであり、その目的は、パターンドメディアのような高密度情報記録媒体において、ユーザデータの記憶容量を低下させることなく、情報記録再生装置に対してトラッキング制御用及び記録タイミング制御用の信号を高精度に検出させることが可能な情報記録媒体を提供することにある。また、本発明の目的は、この情報記録媒体に記録再生を行うことにより、記録再生ヘッドの位置決め精度及び記録タイミング精度を向上させることが可能な（すなわち、記録エラー及び再生エラーの少ない）磁気記録再生装置又は光記録再生装置を提供することにある。
【課題を解決するための手段】
【００１６】
本発明に係る情報記録媒体は、上記課題を解決するため、互いに孤立した複数の情報記録セルが配列されたデータ領域を有する情報記録媒体であって、上記データ領域は、上記情報記録媒体の円周方向において交互に配置された第１の情報記録セル群及び第２の情報記録セル群を備え、上記第１の情報記録セル群及び第２の情報記録セル群にそれぞれ含まれる情報記録セルは、トラックピッチが等しい複数のトラックに形成されていると共に、隣接するトラックに形成された情報記録セルと互い違いになるように配置されており、上記第２の情報記録セル群の各トラックの半径方向における半径位置は、上記第１の情報記録セル群の各トラックの半径方向における半径位置と異なることを特徴としている。
【００１７】
上記構成によれば、情報記録媒体は、第１の情報記録セル群及び第２の情報記録セル群をデータ領域に備えている。上記第１の情報記録セル群及び第２の情報記録セル群に含まれる情報記録セルは、トラックピッチが等しい複数のトラックに形成されていると共に、隣接するトラックに形成された情報記録セルと互い違いになるように配置されている。また、上記第１の情報記録セル群及び第２の情報記録セル群は、情報記録媒体の円周方向において交互に、かつ、第２の情報記録セル群の各トラックの半径方向における半径位置が、第１の情報記録セル群の各トラックの半径方向における半径位置と異なるように配置されている。
【００１８】
ここで、情報記録セルが「隣接するトラックに形成された情報記録セルと互い違いになるように配置されて」いるとは、以下の２つの条件を示すことを意味する。１つの条件としては、情報記録セルの円周方向における周方向位置と、該情報記録セルが形成されたトラックと隣接するトラックに形成された情報記録セルの周方向位置とが同じ位置ではないことである。もう１つの条件としては、同じトラック上で隣り合った２つの情報記録セル間の任意の周方向位置に、該トラックと隣接するトラックに形成された情報記録セルが１つ存在することである。
【００１９】
なお、「円周方向における周方向位置」とは、情報記録媒体の周方向における位置を指し、「半径方向における半径位置」とは、磁気記録媒体１の半径方向における半径位置を指す。
【００２０】
これにより、情報記録媒体は、第１の情報記録セル群又は第２の情報記録セル群のパターンから検出される信号を、該情報記録媒体に対して情報の記録再生を行う情報記録再生装置に対して、トラッキング制御用又は記録タイミング制御用の信号として利用させることができる。よって、情報記録媒体は、トラッキング制御用又は記録タイミング制御用の信号検出のみのためのパターンを設ける必要がないため、データ領域を減少させることなく、情報記録再生装置に記録再生ヘッドの位置合わせを高精度に行わせることができる。また、情報記録媒体は、上述のように、第１の情報記録セル群及び第２の情報記録セル群を交互に備えているため、情報記録再生装置に対して、高い頻度でトラッキング制御用又は記録タイミング制御用の信号を検出させることができる。
【００２１】
従って、情報記録媒体は、狭トラックピッチ及び高線記録密度であっても記憶領域を低下させることなく、上記情報記録再生装置に対して、高精度にトラッキング制御及び記録タイミング制御を行わせることができる。すなわち、情報記録媒体は、再生エラー及び記録エラーの少ない情報記録再生装置を提供することが可能となる。
【００２２】
なお、上記第１の情報記録セル群及び第２記録セル群の円周方向に対する幅は任意に設定されてもよい。これにより、情報記録媒体は、情報記録再生装置に、任意の頻度でトラッキング制御用又は記録タイミング制御用の信号を検出させることができる。
【００２３】
さらに、本発明に係る情報記録媒体は、上記第２の情報記録セル群の各トラックの半径方向における半径位置は、上記第１の情報記録セル群の各トラックの半径方向における半径位置とトラックピッチの半分だけ異なってもよい。
【００２４】
上記構成によれば、情報記録媒体は、記憶領域を低下させることなく、情報記録再生装置に対して、より高精度にトラッキング制御及び記録タイミング制御を行わせることができる。
【００２５】
さらに、本発明に係る情報記録媒体は、上記情報記録セルは、磁化方向の違いによって情報が記録される磁気記録セルであってもよい。
【００２６】
上記構成によれば、情報記録媒体は、磁化方向の違いによって情報が記録される磁気記録セルを備えた磁気記録媒体である。情報記録媒体は、磁気記録媒体であっても、上記と同様、狭トラックピッチ及び高線記録密度であっても記憶領域を低下させることなく、上記情報記録再生装置に対して、高精度にトラッキング制御及び記録タイミング制御を行わせることができる。すなわち、情報記録媒体は、再生エラー及び記録エラーの少ない情報記録再生装置を提供することが可能となる。ここでの情報記録再生装置とは、磁気記録セルに対して情報の記録再生を行うことが可能な、例えば磁気記録再生装置である。
【００２７】
なお、上記と同様、上記第１の情報記録セル群及び第２記録セル群の円周方向に対する幅は任意に設定されてもよい。これにより、情報記録媒体は、情報記録再生装置に、任意の頻度でトラッキング制御用又は記録タイミング制御用の信号を検出させることができる。
【００２８】
さらに、本発明に係る情報記録媒体は、各トラックを識別するトラック識別情報が記録されたアドレス領域を備えてもよい。
【００２９】
上記構成によれば、アドレス領域を備えることにより、情報記録再生装置の記録再生ヘッドが情報記録媒体のどのトラック上にあるのか（すなわち、どのトラック上の情報記録セルから信号検出を行っているのか）を、該情報記録再生装置に特定させることができる。これにより、情報記録媒体は、上記記録再生ヘッドがオフトラックである場合であっても、情報記録再生装置にそのオフトラックの方向を特定させることができる。
【００３０】
さらに、本発明に係る情報記録媒体は、上記情報記録セルは、第１の情報記録セルと、該第１の情報記録セルが形成されたトラックと隣接するトラックに形成された第２の情報記録セルと、該第１の情報記録セルが形成されたトラックと２番目に隣接するトラックに形成された第３の情報記録セルと、を含み、上記第１の情報記録セルの円周方向における周方向位置は、隣り合った２つの上記第２の情報記録セルの円周方向における中心位置と異なり、上記第１の情報記録セルと、内周側に隣接するトラックにおいて該第１の情報記録セルと最も近接した周方向位置にある上記第２の情報記録セルとの円周方向における距離は、該第１の情報記録セルと、外周側に隣接するトラックにおいて該第１の情報記録セルと最も近接した周方向位置にある上記第２の情報記録セルとの円周方向における距離と等しく、上記第１の情報記録セルと、内周側に隣接するトラックにおいて該第１の情報記録セルと２番目に近接した周方向位置にある上記第２の情報記録セルとの円周方向における距離は、該第１の情報記録セルと、外周側に隣接するトラックにおいて該第１の情報記録セルと２番目に近接した周方向位置にある上記第２の情報記録セルとの円周方向における距離と等しく、上記第１の情報記録セルの周方向位置は、上記第３の情報記録セルの周方向位置と異なってもよい。
【００３１】
上記構成によれば、第１の情報記録セルと、内周側に隣接するトラックにおいて第１の情報記録セルと最も近接した周方向位置にある第２の情報記録セルとの円周方向における距離と、第１の情報記録セルと、内周側に隣接するトラックにおいて第１の情報記録セルと２番目に近接した周方向位置にある第２の情報記録セルとの円周方向における距離とが異なる。また、第１の情報記録セルと、外周側に隣接するトラックに形成された２つの情報記録セルとの円周方向における距離についても、同様の関係にある。そして、第１の情報記録セルの周方向位置は、第３の情報記録セルの周方向位置と異なっている。
【００３２】
このため、情報記録再生装置によってトラッキング制御が行われるときに検出される信号の波形は、トラックの内周側の情報記録セルと外周側の情報記録セルとで異なることとなる。従って、情報記録媒体は、上記記録再生ヘッドがオフトラックである場合であっても、上記信号の波形の違いによって、情報記録再生装置にそのオフトラックの方向を特定させることができる。
【００３３】
さらに、本発明に係る磁気記録再生装置は、上記に記載の情報記録媒体と、該情報記録媒体に対して情報の記録再生を行う磁気記録素子及び磁気再生素子を備えた記録再生ヘッドと、を備えた磁気記録再生装置であって、上記第１の情報記録セル群の情報記録セルに対して情報の記録再生を行うとき、上記磁気再生素子が上記第２の情報記録セル群の情報記録セルから検出する信号の信号波形をもとに、該第１の情報記録セル群の情報記録セルに対するトラッキング制御を行うか、又は、上記第２の情報記録セル群の情報記録セルに対して情報の記録再生を行うとき、上記磁気再生素子が上記第１の情報記録セル群の情報記録セルから検出する信号の信号波形をもとに、該第２の情報記録セル群の情報記録セルに対するトラッキング制御を行ってもよい。
【００３４】
上記構成によれば、磁気記録再生装置は、磁気再生素子及び磁気記録素子を備えた記録再生ヘッドを備えており、この記録再生ヘッドを上述の情報記録媒体の半径方向に移動させることにより、該情報記録媒体の所定の位置に対して情報の記録再生を行う。このとき、磁気記録再生装置が、情報記録媒体の第１の情報記録セル群及び第２情報記録セル群の何れに対して情報の記録再生を行うかによって、磁気再生素子は、第１の情報記録セル群又は第２の情報記録セル群の情報記録セルから、トラッキング制御用の信号を検出する。そして、磁気記録再生装置は、トラッキング制御用の信号の波形をもとに、例えば記録再生ヘッドがオフトラックである場合にはフィードバック制御を行うことにより、情報記録媒体に対してトラッキング制御を行う。
【００３５】
これにより、磁気記録再生装置は、上述の情報記録媒体がトラッキング制御用の信号検出のみのためのパターンを設ける必要がないため、該情報記録媒体に対して、高精度に記録再生ヘッドの位置合わせを行うことができる。また、磁気記録再生装置が上述の情報記録媒体に対して情報の記録再生を行うことにより、磁気再生素子は、高い頻度でトラッキング制御用の信号を検出することができる。
【００３６】
従って、磁気記録再生装置は、上述の情報記録媒体に対して、高精度にトラッキング制御を行うことができ、再生エラー及び記録エラーを少なくすることができる。
【００３７】
なお、上述の情報記録媒体の第１の情報記録セル群及び第２記録セル群の円周方向に対する幅が任意に設定されている場合には、磁気記録再生装置は、任意の頻度でトラッキング制御用の信号を検出することができる。
【００３８】
また、磁気再生素子は、情報の記録再生を行うパターンとは別のパターンの情報記録セルから、トラッキング制御用の信号を検出する。すなわち、磁気記録再生装置が例えば第２の情報記録セル群の情報記録セルに対して情報の記録再生を行うときには、磁気再生素子は、第１の情報記録セル群の情報記録セルからトラッキング制御用の信号を検出する。
【００３９】
これにより、磁気再生素子は、トラッキング制御用の信号と再生信号とを時間的に分離して検出することができる。従って、磁気記録再生装置は、検出した信号から、トラッキング制御用の信号と再生信号とを分離する必要がないため、これらの信号を分離するための回路を必要としないという効果を奏する。
【００４０】
さらに、本発明に係る磁気記録再生装置は、上記第１の情報記録セル群の情報記録セルに対して情報の記録を行うとき、上記磁気再生素子が上記第２の情報記録セル群の情報記録セルから検出する信号の信号波形をもとに、該第１の情報記録セル群の情報記録セルに対する記録タイミング制御を行うか、又は、上記第２の情報記録セル群の情報記録セルに対して情報の記録を行うとき、上記磁気再生素子が上記第１の情報記録セル群の情報記録セルから検出する信号の信号波形をもとに、該第２の情報記録セル群の情報記録セルに対する記録タイミング制御を行ってもよい。
【００４１】
上記構成によれば、磁気記録再生装置が、情報記録媒体の第１の情報記録セル群及び第２情報記録セル群の何れに対して情報の記録を行うかによって、磁気再生素子は、第１の情報記録セル群又は第２の情報記録セル群の情報記録セルから、記録タイミング制御用の信号を検出する。そして、磁気記録再生装置は、記録タイミング制御用の信号の波形をもとに、例えば記録再生ヘッドがオフトラックである場合にはフィードバック制御を行うことにより、情報記録媒体に対して記録タイミング制御（記録タイミングの調整）を行う。
【００４２】
従って、磁気記録再生装置は、上述の情報記録媒体に対して、高精度に記録タイミング制御を行うことができ、記録エラーを少なくすることができる。
【００４３】
なお、上述の情報記録媒体の上記第１の情報記録セル群及び第２記録セル群の円周方向に対する幅が任意に設定されている場合には、磁気記録再生装置は、任意の頻度で記録タイミング制御用の信号を検出することができる。
【００４４】
さらに、本発明に係る磁気記録再生装置は、上記情報記録セルは、第１の情報記録セルと、該第１の情報記録セルが形成されたトラックと隣接するトラックに形成された第２の情報記録セルと、を含み、上記磁気再生素子の円周方向における空間分解可能幅Ｓｗとし、上記第１の情報記録セルと、該第１の情報記録セルと最も近接した周方向位置にある上記第２の情報記録セルとの円周方向における距離Ｄとするとき、Ｓｗ＜Ｄであってもよい。
【００４５】
上記構成によれば、磁気記録再生装置は、トラッキング制御用及び記録タイミング制御用の信号を検出するときに、各々の情報記録セルから検出される信号を分離しやすくなるため、トラッキングエラー及び記録タイミングエラーが生じにくくすることができる。
【００４６】
さらに、本発明に係る磁気記録再生装置は、上記磁気記録素子と上記磁気再生素子との半径方向における距離を検出する距離検出動作を行ってもよい。
【００４７】
上記構成よれば、磁気記録再生装置は、磁気記録素子と磁気再生素子との半径方向における距離が、所定の値（例えば、磁気記録素子と磁気再生素子との距離が０）とは異なる場合であっても、記録時に磁気記録素子がオフトラックになること防ぐことができる。すなわち、磁気記録再生装置は、記録再生ヘッドの個体差に起因した磁気記録素子のオフトラックによる記録エラー、及び記録エラーに伴う再生エラーの増加を抑制することができる。
【００４８】
さらに、本発明に係る磁気記録再生装置は、上記距離検出動作は、上記磁気記録素子による記録動作、上記磁気再生素子による再生動作、及び該磁気再生素子が検出する再生信号から得られるエラーレートを記憶する記憶動作を、上記記録再生ヘッドの、上記情報記録媒体の半径方向における半径位置毎に繰り返し行う動作と、上記記憶動作時に記憶したエラーレートのうち、最小のエラーレートとなる上記記録動作を行ったときの上記記録再生ヘッドの上記情報記録媒体における半径位置ｒ１とし、該最小のエラーレートとなる上記再生動作を行ったときの上記記録再生ヘッドの上記情報記録媒体における半径位置ｒ２とするとき、該磁気記録素子と該磁気再生素子との半径方向における距離を（ｒ１−ｒ２）と決定する動作と、を含んでもよい。
【００４９】
上記構成によれば、磁気記録再生装置は、決定した上記距離（ｒ１−ｒ２）を記憶しておくことにより、磁気再生素子がこの距離分だけオフトラックした状態で、記録時のトラッキング制御を行う。これにより、磁気記録再生装置は、記録再生ヘッドの個体差に起因した磁気記録素子のオフトラックによる記録エラー、及び記録エラーに伴う再生エラーの増加を抑制することができる。
【００５０】
さらに、本発明に係る情報記録媒体は、上記情報記録セルは、光が照射されることによって情報が記録される光記録セルであってもよい。
【００５１】
上記構成によれば、情報記録媒体は、光が照射されることによって情報が記録される光記録セルを備えた光記録媒体である。情報記録媒体は、光記録媒体であっても、上記と同様、狭トラックピッチ及び高線記録密度であっても記憶領域を低下させることなく、上記情報記録再生装置に対して、高精度にトラッキング制御及び記録タイミング制御を行わせることができる。すなわち、情報記録媒体は、再生エラー及び記録エラーの少ない情報記録再生装置を提供することが可能となる。ここでの情報記録再生装置とは、光記録セルに対して情報の記録再生を行うことが可能な、例えば光記録再生装置である。
【００５２】
なお、上記と同様、上記第１の情報記録セル群及び第２記録セル群の円周方向に対する幅は任意に設定されてもよい。これにより、情報記録媒体は、情報記録再生装置に、任意の頻度でトラッキング制御用又は記録タイミング制御用の信号を検出させることができる。
【００５３】
さらに、本発明に係る情報記録媒体は、各トラックを識別するトラック識別情報が記録されたアドレス領域を備えてもよい。
【００５４】
上記構成によれば、アドレス領域を備えることにより、情報記録再生装置の記録再生ヘッドが情報記録媒体のどのトラック上にあるのか（すなわち、どのトラック上の情報記録セルから信号検出を行っているのか）を、該情報記録再生装置に特定させることができる。これにより、情報記録媒体は、上記記録再生ヘッドがオフトラックである場合であっても、情報記録再生装置にそのオフトラックの方向を特定させることができる。
【００５５】
さらに、本発明に係る情報記録媒体は、上記情報記録セルは、第１の情報記録セルと、該第１の情報記録セルが形成されたトラックと隣接するトラックに形成された第２の情報記録セルと、該第１の情報記録セルが形成されたトラックと２番目に隣接するトラックに形成された第３の情報記録セルと、を含み、上記第１の情報記録セルの周方向位置は、隣り合った２つの上記第２の情報記録セルの円周方向における中心位置と異なり、上記第１の情報記録セルと、内周側に隣接するトラックにおいて該第１の情報記録セルと最も近接した周方向位置にある上記第２の情報記録セルとの円周方向における距離は、該第１の情報記録セルと、外周側に隣接するトラックにおいて該第１の情報記録セルと最も近接した周方向位置にある上記第２の情報記録セルとの円周方向における距離と等しく、上記第１の情報記録セルと、内周側に隣接するトラックにおいて該第１の情報記録セルと２番目に近接した周方向位置にある上記第２の情報記録セルとの円周方向における距離は、該第１の情報記録セルと、外周側に隣接するトラックにおいて該第１の情報記録セルと２番目に近接した周方向位置にある上記第２の情報記録セルとの円周方向における距離と等しく、上記第１の情報記録セルの周方向位置は、上記第３の情報記録セルの周方向位置と異なってもよい。
【００５６】
上記構成によれば、第１の情報記録セルと、内周側に隣接するトラックにおいて第１の情報記録セルと最も近接した周方向位置にある第２の情報記録セルとの円周方向における距離と、第１の情報記録セルと、内周側に隣接するトラックにおいて第１の情報記録セルと２番目に近接した周方向位置にある第２の情報記録セルとの円周方向における距離とが異なる。また、第１の情報記録セルと、外周側に隣接するトラックに形成された２つの情報記録セルとの円周方向における距離についても、同様の関係にある。そして、第１の情報記録セルの周方向位置は、第３の情報記録セルの周方向位置と異なっている。
【００５７】
このため、情報記録再生装置によってトラッキング制御が行われるときに検出される信号の波形は、トラックの内周側の情報記録セルと外周側の情報記録セルとで異なることとなる。従って、情報記録媒体は、上記記録再生ヘッドがオフトラックである場合であっても、上記信号の波形の違いによって、情報記録再生装置にそのオフトラックの方向を特定させることができる。
【００５８】
さらに、本発明に係る光記録再生装置は、上記に記載の情報記録媒体と、該情報記録媒体に対して情報の記録再生を行う発光素子及び受光素子と備えた記録再生ヘッドと、を備えた光記録再生装置であって、上記第１の情報記録セル群の情報記録セルに対して情報の記録再生を行うとき、上記受光素子が上記第２の情報記録セル群の情報記録セルから検出する信号の信号波形をもとに、該第１の情報記録セル群の情報記録セルに対するトラッキング制御を行うか、又は、上記第２の情報記録セル群の情報記録セルに対して情報の記録再生を行うとき、上記受光素子が上記第１の情報記録セル群の情報記録セルから検出する信号の信号波形をもとに、該第２の情報記録セル群の情報記録セルに対するトラッキング制御を行ってもよい。
【００５９】
上記構成によれば、光記録再生装置は、発光素子及び受光素子を備えた記録再生ヘッドを備えており、この記録再生ヘッドを上述の情報記録媒体の半径方向に移動させることにより、該情報記録媒体の所定の位置に対して情報の記録再生を行う。このとき、光記録再生装置が、情報記録媒体の第１の情報記録セル群及び第２情報記録セル群の何れに対して情報の記録再生を行うかによって、受光素子は、第１の情報記録セル群又は第２の情報記録セル群の情報記録セルから、トラッキング制御用の信号を検出する。そして、光記録再生装置は、トラッキング制御用の信号の波形をもとに、例えば記録再生ヘッドがオフトラックである場合にはフィードバック制御を行うことにより、情報記録媒体に対してトラッキング制御を行う。
【００６０】
これにより、光記録再生装置は、上述の情報記録媒体がトラッキング制御用の信号検出のみのためのパターンを設ける必要がないため、該情報記録媒体に対して、高精度に記録再生ヘッドの位置合わせを行うことができる。また、光記録再生装置は、上述の情報記録媒体に対して情報の記録再生を行うことにより、受光素子は、高い頻度でトラッキング制御用の信号を検出することができる。
【００６１】
従って、光記録再生装置は、上述の情報記録媒体に対して、高精度にトラッキング制御を行うことができ、再生エラー及び記録エラーを少なくすることができる。
【００６２】
なお、上述の情報記録媒体の第１の情報記録セル群及び第２記録セル群の円周方向に対する幅が任意に設定されている場合には、光記録再生装置は、任意の頻度でトラッキング制御用の信号を検出することができる。
【００６３】
また、受光素子は、情報の記録再生を行うパターンとは別のパターンの情報記録セルから、トラッキング制御用の信号を検出する。すなわち、光記録再生装置が例えば第２の情報記録セル群の情報記録セルに対して情報の記録再生を行うときには、受光素子は、第１の情報記録セル群の情報記録セルからトラッキング制御用の信号を検出する。
【００６４】
これにより、受光素子は、トラッキング制御用の信号と再生信号とを時間的に分離して検出することができる。従って、光記録再生装置は、検出した信号から、トラッキング制御用の信号と再生信号とを分離する必要がない必要がないため、これらの信号を分離するための回路を必要としないという効果を奏する。
【００６５】
さらに、本発明に係る光記録再生装置は、上記第１の情報記録セル群の情報記録セルに対して情報の記録を行うとき、上記受光素子が上記第２の情報記録セル群の情報記録セルから検出する信号の信号波形をもとに、該第１の情報記録セル群の情報記録セルに対する記録タイミング制御を行うか、又は、上記第２の情報記録セル群の情報記録セルに対して情報の記録を行うとき、上記受光素子が上記第１の情報記録セル群の情報記録セルから検出する信号の信号波形をもとに、該第２の情報記録セル群の情報記録セルに対する記録タイミング制御を行ってもよい。
【００６６】
上記構成によれば、光記録再生装置が、情報記録媒体の第１の情報記録セル群及び第２情報記録セル群の何れに対して情報の記録を行うかによって、受光素子は、第１の情報記録セル群又は第２の情報記録セル群の情報記録セルから、記録タイミング制御用の信号を検出する。そして、光記録再生装置は、記録タイミング制御用の信号の波形をもとに、例えば記録再生ヘッドがオフトラックである場合にはフィードバック制御を行うことにより、情報記録媒体に対して記録タイミング制御（記録タイミングの調整）を行う。
【００６７】
従って、光記録再生装置は、上述の情報記録媒体に対して、高精度に記録タイミング制御を行うことができ、記録エラーを少なくすることができる。
【００６８】
なお、上述の情報記録媒体の上記第１の情報記録セル群及び第２記録セル群の円周方向に対する幅が任意に設定されている場合には、光記録再生装置は、任意の頻度で記録タイミング制御用の信号を検出することができる。
【発明の効果】
【００６９】
本発明に係る情報記録媒体は、以上のように、上記データ領域は、上記情報記録媒体の円周方向において交互に配置された第１の情報記録セル群及び第２の情報記録セル群を備え、上記第１の情報記録セル群及び第２の情報記録セル群にそれぞれ含まれる情報記録セルは、トラックピッチが等しい複数のトラックに形成されていると共に、隣接するトラックに形成された情報記録セルと互い違いになるように配置されており、上記第２の情報記録セル群の各トラックの半径方向における半径位置は、上記第１の情報記録セル群の各トラックの半径方向における半径位置と異なる構成である。
【００７０】
それゆえ、情報記録媒体は、狭トラックピッチ及び高線記録密度であっても記憶領域を低下させることなく、情報記録再生装置に対して、高精度にトラッキング制御及び記録タイミング制御を行わせることができる。すなわち、情報記録媒体は、再生エラー及び記録エラーの少ない情報記録再生装置を提供することが可能となる。
【発明を実施するための最良の形態】
【００７１】
〔実施形態１〕
本発明の一実施形態について図１〜図６に基づいて説明すると以下の通りである。
【００７２】
〔磁気記録再生装置２の概略構成〕
図２は、本発明に係る磁気記録媒体（情報記録媒体）１に対して記録再生を行う磁気記録再生装置２の概略構成を示す図である。磁気記録再生装置２は、図２に示すように、サスペンション３と、スピンドル４と、ボイスコイルモーター５と、ランプ機構６と、記録再生ヘッド７とを備えている。また、図２では、磁気記録再生装置２は、磁気記録媒体１を備えた構成となっている。なお、磁気記録媒体１の構造、及び磁気記録再生装置２による磁気記録媒体１の記録再生方法については、後に詳述する。
【００７３】
サスペンション３は、後述のボイスコイルモーター５に固定されており、ボイスコイルモーター５と反対側の先端に、磁気記録媒体１に対して磁界を印加する記録再生ヘッド７を備えている。
【００７４】
スピンドル４は、磁気記録再生装置２が磁気記録媒体１に情報の記録再生を行うときに、磁気記録媒体１を反時計周り（図２の矢印方向）に回転させるものである。なお、磁気記録媒体１の中心部にはスピンドル４と嵌合可能なように穴部が形成されている。
【００７５】
ボイスコイルモーター５は、サスペンション３に備えられた記録再生ヘッド７が磁気記録媒体１の半径方向に磁気記録媒体１上を移動できるように、サスペンション３を移動させるものである。すなわち、記録再生ヘッド７は、ボイスコイルモーター５の作動に応じて、磁気記録媒体１に対する半径方向における半径位置を変更させることができる。
【００７６】
ランプ機構６は、磁気記録媒体１に情報の記録再生を行わないときに、記録再生ヘッド７が退避する場所（すなわち、記録再生ヘッド７を固定される場所）である。
【００７７】
記録再生ヘッド７は、磁気記録媒体１に情報の記録再生を行うときに、磁気記録媒体１に対して磁界を印加するものである。これにより、例えば、磁気記録媒体１の磁気記録セル１１（後述）の磁化方向を決定することができる。具体的には、記録再生ヘッド７は、図３に示すように、磁気記録媒体１に近い面に、垂直磁気記録媒体用の磁気記録素子８と磁気再生素子９とを備えている。図３は、磁気記録再生装置２の記録再生ヘッド７の概略構成を示す図である。
【００７８】
磁気記録素子８は、磁気記録媒体１に情報を記録するときに記録可能な強度の磁界を、該磁気記録媒体１に印加するものである。同様に、磁気再生素子９は、磁気記録媒体１から情報を読み出して再生するときに再生可能な強度の磁界を、該磁気記録媒体１に印加するものである。
【００７９】
なお、磁気記録素子８と磁気再生素子９との磁気記録媒体１から見た円周方向における位置関係は、記録再生ヘッド７が回転する磁気記録媒体１の任意の位置を通過するとき、この任意の位置上を磁気再生素子９が先に通過し、磁気記録素子８がその後に通過するような位置関係となっている。
【００８０】
以上のように、磁気記録再生装置２は、スピンドル４及びサスペンション３の動作と、記録再生ヘッド７による磁界の印加とを制御することにより、磁気記録媒体１の所定の位置に記録再生を行うことができる。
【００８１】
〔磁気記録媒体１の概略構成及び製造方法〕
次に、図２に示す磁気記録再生装置２に備えられた磁気記録媒体１について図１及び図４を用いて説明する。図１は、本発明の一実施形態に係る磁気記録媒体１の概略構成を示す図である。また、図４は、磁気記録媒体１に備えられた第１の情報記録セル群１２と第２の情報記録セル群１３との境界部分を示す図である。
【００８２】
磁気記録媒体１は、孤立した磁気記録セルを配列したパターンドメディアであり、図１に示すように、ユーザデータ領域（データ領域）１０と、磁気記録セル（情報記録セル、第１〜第３の情報記録セル）１１と、第１の情報記録セル群１２と、第２の情報記録セル群１３とを備えている。また、図１に示す１２ｗ、１３ｗは、それぞれ第１の情報記録セル群１２及び第２の情報記録セル群１３の、磁気記録媒体１の円周方向に対する幅を示している。
【００８３】
磁気記録セル１１は、ユーザデータ領域１０に孤立して配列された円柱状のセルであり、磁気記録再生装置２によって磁気情報が記録再生されるものである。また、磁気記録セル１１は、所定のトラックピッチ（例えば、５０ｎｍ）で隣接するトラックに形成された磁気記録セル１１と互い違いになるように配置されている。なお、本実施形態に係る磁気記録媒体１の磁気記録セル１１の大きさは、直径２５ｎｍ及び高さ４０ｎｍとなっているが、これに限らず、直径５ｎｍ〜４５ｎｍ及び高さが１０ｎｍ〜６０ｎｍとなっていればよい。
【００８４】
ここで、磁気記録セル１１が「隣接するトラックに形成された磁気記録セル１１と互い違いになるように配置されている」とは、以下の２つの条件を示すことを意味する。１つの条件としては、磁気記録セル１１の円周方向における周方向位置（磁気記録媒体１の円周方向における位置）と、該磁気記録セル１１が形成されたトラックと隣接するトラックに形成された磁気記録セル１１の周方向位置とが同じ位置ではないことである。もう１つの条件としては、同じトラック上で隣り合った２つの磁気記録セル１１間の任意の周方向位置に、該トラックと隣接するトラックに形成された磁気記録セル１１が１つ存在することである。但し、磁気記録媒体１の最外周及び最内周のトラックに関しては、このトラックの外側又は内側に隣接するトラックが存在しない。また、ユーザデータ領域１０において、磁気記録セル１１が形成されていない領域は、非磁性体によって形成されている。
【００８５】
上記のように配置された複数の磁気記録セル１１は、図１に示すように、磁気記録媒体１の円周方向に対する幅１２ｗを有する第１の情報記録セル群１２と、磁気記録媒体１の円周方向に対する幅１３ｗを有する第２の情報記録セル群１３とを形成している。そして、第１の情報記録セル群１２と第２の情報記録セル群１３とは、磁気記録媒体１の円周方向に対して交互になるように配置されている。また、複数の磁気記録セル１１が形成される各トラック間のトラックピッチは、第１の情報記録セル群１２及び第２の情報記録セル群の各トラックにおいて等しくなるように形成されている。
【００８６】
さらに、交互に配置された第１の情報記録セル群１２及び第２の情報記録セル群１３において、第２の情報記録セル群１３の各トラックの半径方向における半径位置は、図３に示すように、上記第１の情報記録セル群の各トラックの半径方向における半径位置とトラックピッチの半分だけ異なっている。本実施形態に係る磁気記録媒体１では、第１の情報記録セル群１２の磁気記録セル１１が形成される各トラックの半径位置は、第２の情報記録セル群１３の磁気記録セル１１が形成される各トラック位置の半径位置より半分だけ外周側に配置されている。ここで、「半径方向における半径位置」とは、磁気記録媒体１の半径方向における半径位置を指す。
【００８７】
なお、磁気記録セル１１の形状は、円柱状に限られるものではなく、例えば四角柱状、楕円柱状、球状等であってもよく、孤立した磁気記録セル１１に磁気情報が記録できれば形状であればどのような形状であってもよい。また、磁気記録媒体１では、任意の磁気記録セル１１は、その周方向位置が、隣接するトラックにおいて隣り合った２つの磁気記録セル１１の中心位置となるように形成されている。
【００８８】
また、磁気記録媒体１の回転方向は、図１及び図４に示すように、紙面右から左（矢印方向）となっているため、磁気記録再生装置２は、磁気記録媒体１に配列された磁気記録セル１１に対して紙面左から順に信号検出していく。また、磁気記録媒体１は、例えば媒体面内方向に対して垂直方向に磁化されることで、情報が記録されるタイプの媒体である。
【００８９】
以下、磁気記録媒体１の製造方法の一例を示す。まず、ガラス基板上に軟磁性層を形成した後、この軟磁性層上にレジストを塗布する。次に、電子線リソグラフィー法によって、レジストに微細パターンを形成した後、磁気記録セル１１を形成する材料を、この微細パターンが形成されたレジスト上に成膜する。その後、有機溶剤を用いて、レジストとレジスト上に堆積した磁気記録セル１１を形成する材料とを除去した後、この基板上に非磁性層を成膜する。そして、この基板の非磁性層側から研磨を行うことで、磁気記録セル１１を表面に露出させると共に、基板表面を平滑にする。最後に、磁気記録セル１１が形成された基板に対して潤滑剤を塗布する。
【００９０】
上記磁気記録媒体１の製造方法では、磁気記録セル１１を形成する材料としては、例えば、Ｃｏ、Ｐｔ、Ｆｅ、Ｎｉ、Ｃｒ、Ｍｎ又はこれらの金属からなる合金が挙げられる。また、上記合金としては、例えば、ＣｏＰｔ、ＳｍＣｏ、ＣｏＣｒ又はＴｂＦｅＣｏ合金を用いることができる。さらに、レジストへの微細パターンの形成方法としては、例えば、陽極酸化法、フォトリソグラフィー法、ナノインプリント法等を用いることが可能である。
【００９１】
また、上記磁気記録媒体１の製造方法では、磁気記録媒体１の片面にのみ磁気記録面（すなわち、磁気記録セル１１を有する面）を形成しているが、これに限らず、磁気記録媒体１の両面に磁気記録面を形成してもよい。この場合には、上記製造方法に示す工程が、磁気記録媒体１の両面に対して実施されればよい。なお、磁気記録媒体１の両面に形成される磁気記録面への潤滑剤の塗布については、同時に行うことも可能である。
【００９２】
なお、本実施形態に係る磁気記録媒体１では、第１の情報記録セル群１２と第２の情報記録セル群１３とが同じ幅となるように形成されており、それぞれの円周方向の幅１２ｗ、１３ｗは、５０μｍとなっている。なお、これら円周方向の幅１２ｗ、１３ｗが１０μｍ〜１００μｍとなるように、磁気記録媒体１が形成されていればよい。なお、実施形態２、３に係る磁気記録媒体１ａ、１ｂ、１ｃについても、同様に構成されている。
【００９３】
〔磁気記録媒体１の記録再生方法〕
以下、磁気記録再生装置２が磁気記録媒体１に対して磁気情報を記録再生する方法について、図４及び図５を用いて説明する。図４は、磁気記録媒体１に備えられた第１の情報記録セル群１２と第２の情報記録セル群１３との境界部分を示す図である。なお、図４（ａ）は、再生時におけるトラッキング制御に関し、磁気記録再生装置２が、第１の情報記録セル群１２の磁気記録セル１２Ａから第２の情報記録セル群１３の方向に向かって、トラックＴｒ１に沿って、信号を検出していく場合を示す説明図である。また、図４（ｂ）は、再生時におけるトラッキング制御に関し、磁気記録再生装置２が、第２の情報記録セル群１３の磁気記録セル１３Ａから第１の情報記録セル群１２の方向に向かって、トラックＴｒ２に沿って、信号を検出していく場合を示す説明図である。
【００９４】
図４（ａ）に示すように、磁気記録再生装置２は、磁気記録媒体１を紙面右から左に回転させる。このため、磁気再生素子９は、磁気記録セル１２Ａのような、トラックＴｒ１に対して内周側（紙面の下側）にある磁気記録セル１１と、磁気記録セル１２Ｂのような、トラックＴｒ１に対して外周側（紙面の上側）にある磁気記録セル１１とを交互に検出していく。すなわち、本実施形態では、磁気再生素子９は、磁気記録セル１２Ａから第２の情報記録セル群１３に進入する直前までに、第１の情報記録セル群１２における８個の磁気記録セル１１（１２Ａ、１２Ｂを含む）からの信号を検出する。なお、この８個の磁気記録セル１１は、磁気再生素子９によって検出される順に、磁気記録セル１２Ａから、下（紙面手前から奥方向）、上（紙面奥から手前方向）、上、下、上、上、上、下の方向に磁化しているものとする。
【００９５】
このように、磁気再生素子９が、図４（ａ）に示す磁気記録媒体１のトラックＴｒ１に沿って検出したときの信号の模式図を図５に示す。図５は、磁気再生素子９が、図４（ａ）に示す磁気記録媒体１のトラックＴｒ１に沿って信号を検出したときの検出信号を示す模式図である。なお、図５（ａ）は、第２の情報記録セル群１３においてオントラックである時の、第１の情報記録セル群１２及び第２の情報記録セル群１３から検出された検出信号Ｔｒ１ｓを示す模式図である。また、図５（ｂ）は、記録再生ヘッド７が、図４（ａ）に示すトラックＴｒ１から内周側（紙面の下側）に僅かに位置ずれを起こしている場合に、第１の情報記録セル群１２から検出される検出信号１２ｓを示す模式図であり、図５（ｃ）は、記録再生ヘッド７が、図４（ａ）のトラックＴｒ１から外周側（紙面の上側）に僅かに位置ずれを起こしている場合に、第１の情報記録セル群１２から検出される検出信号１２ｓを示す模式図である。
【００９６】
図５（ａ）では、第１の情報記録セル群１２及び第２の情報記録セル群１３から検出される信号をそれぞれ、１２ｓ及び１３ｓで示しており、第２の情報記録セル群１３からの検出信号１３ｓについては、１つ目の磁気記録セル１１に対応する検出信号のみを図示している。すなわち、検出信号１３ｓについては、それ以降の磁気記録セル１１から検出される信号についての図示を省略している。また、図５（ａ）において、検出信号１２ｓが上に凸及び下に凸を示す波形はそれぞれ、磁気記録セル１１が上方向及び下方向に磁化していることを示している。
【００９７】
まず、記録再生ヘッド７が磁気記録媒体１のトラックＴｒ１に対してオントラックである場合、検出信号１２ｓのスライスレベル１４からの振幅ｈ１は、トラックＴｒ１に対して内周側にある磁気記録セル１１と外周側にある磁気記録セル１１とで等しくなる。この場合、磁気記録再生装置２では、磁気記録媒体１に対する記録再生ヘッド７の半径位置を調整することなく、第１の情報記録セル群１２から第２の情報記録セル群１３に進入して検出信号１３ｓを検出することにより、磁気記録セル１１に記録された情報の再生を開始することが可能である。
【００９８】
すなわち、図５（ａ）からわかるように、再生すべき領域（ここでは、第２の情報記録セル群１３）に進入したときは、磁気再生素子９が磁気記録セル１１の直上を通過するため、検出信号１３ｓの振幅ｈ２が検出信号１２ｓの振幅ｈ１よりも大きくなる。このため、磁気記録再生装置２は、大きな振幅ｈ２の検出信号１３ｓをトリガーとして、この検出信号１３ｓに対応する磁気記録セル１１に記録された情報の再生を開始することができる。従って、第２の情報記録セル群１３においては、磁気記録再生装置２は、トラッキング制御を行うことなく、磁気記録セル１１に記録された情報の再生だけを行うことが可能である。
【００９９】
なお、上記のスライスレベル１４とは、磁気記録セル１１の磁化上向きのときに検出される信号と、磁気記録セル１１の磁化下向きのときに検出される信号との中心値を指すものである。また、オントラックとは、記録再生ヘッド７の半径位置がトラックの半径位置の中心とほぼ一致して、磁気記録再生装置２が所定の磁気記録セル１１から記録された情報を読み出すことが可能な状態を指す。一方、後述のオフトラックとは、記録再生ヘッド７の半径位置がトラックの半径位置の中心からずれて、磁気記録再生装置２が所定の磁気記録セル１１から記録された情報を正しく読み出すことが難しい状態を指す。
【０１００】
次に、記録再生ヘッド７が磁気記録媒体１のトラックＴｒ１に対してオフトラックである場合、第１の情報記録セル群１２から検出される検出信号１２ｓは、図５（ａ）に示す場合と異なり、第１の情報記録セル群１２の磁気記録セル１１に対応する検出信号１２ｓのピーク値がひとつおきに大きく又は小さくなる。
【０１０１】
すなわち、図５（ｂ）に示すように、記録再生ヘッド７が、トラックＴｒ１から内周側に僅かに位置ずれを起こした場合には、トラックＴｒ１の内周側にある磁気記録セル１１に対応する検出信号１２ｓの振幅ｈ３は、図５（ａ）に示す振幅ｈ１よりも大きくなる。一方で、トラックＴｒ１の外周側にある磁気記録セル１１に対応する検出信号１２ｓの振幅ｈ４は、図５（ａ）に示す検出信号１２ｓの振幅ｈ１よりも小さくなる。従って、磁気記録再生装置２は、この検出信号１２ｓの振幅差（ｈ３−ｈ４）を検出して、振幅ｈ３と振幅ｈ４とが等しく（すなわち、ｈ３−ｈ４＝０）なるように、記録再生ヘッド７の半径位置を外周側にずらしてトラックＴｒ１に戻るようにフィードバック制御を行う。
【０１０２】
一方、図５（ｃ）に示すように、記録再生ヘッド７が、トラックＴｒ１から外周側に僅かに位置ずれを起こした場合には、トラックＴｒ１の内周側にある磁気記録セル１１に対応する検出信号１２ｓの振幅ｈ６は、図５（ａ）に示す振幅ｈ１よりも小さくなる。一方で、トラックＴｒ１の外周側にある磁気記録セル１１に対応する検出信号１２ｓの振幅ｈ５は、図５（ａ）に示す検出信号１２ｓの振幅ｈ１よりも大きくなる。従って、磁気記録再生装置２は、この検出信号１２ｓの振幅差（ｈ５−ｈ６）を検出して、振幅ｈ５と振幅ｈ６とが等しくなる（すなわち、ｈ５−ｈ６＝０）ように、記録再生ヘッド７の半径位置を内周側にずらしてトラックＴｒ１に戻るようにフィードバック制御を行う。
【０１０３】
つまり、磁気記録再生装置２は、トラックＴｒ１に対してオフトラックである場合であっても、第１の情報記録セル群１２を通過する間にトラックＴｒ１に対してオントラックになるようにフィードバック制御を行う。そして、磁気記録再生装置２は、記録再生ヘッド７が第２の情報記録セル群１３に進入すると、磁気再生素子９が検出する信号のピーク値が大きくなることをトリガーとして、トラックＴｒ１の第２の情報記録セル群１３の磁気記録セル１１に記録された情報を再生する。すなわち、磁気記録再生装置２は、磁気再生素子９が第２の情報記録セル群１３に進入して、検出信号１２ｓよりもピーク値の大きい検出信号１３ｓを検出したことをトリガーとして、第２の情報記録セル群１３の磁気記録セル１１に記録された情報を再生する。
【０１０４】
一方、磁気記録再生装置２は、記録再生ヘッド７が再び第１の情報記録セル群１２に進入すると、磁気再生素子９が検出する信号のピーク値が小さくなることをトリガーとして、再びトラッキング制御を行う。すなわち、磁気記録再生装置２は、検出信号１３ｓよりもピーク値の小さい検出信号１２ｓを検出したことをトリガーとして、上述のように、磁気再生素子９が検出する検出信号１２ｓのピーク値が一定となるように、フィードバック制御を行う。
【０１０５】
従って、記録再生ヘッド７が第１の情報記録セル群１２と第２の情報記録セル群１３とに対する進入を繰り返すことにより、磁気記録再生装置２は、よりオフトラック量の少ない状態で、所定トラックの第２の情報記録セル群１３の磁気記録セル１１に記録された情報を再生する。これにより、磁気記録再生装置２は、磁気記録媒体１にサーボパターン用の領域を形成することなく、磁気記録媒体１の磁気記録セル１１に記録された情報を正確に再生することが可能となり、再生エラーを少なくすることができる。
【０１０６】
次に、磁気記録再生装置２が磁気記録媒体１の磁気記録セル１１に情報を記録する場合について説明する。磁気記録再生装置２が記録時にトラッキング制御を行う場合については、上述した再生時の場合と同様に行うことができる。
【０１０７】
但し、記録時には、磁気記録再生装置２は、第１の情報記録セル群１２からの検出信号１２ｓをもとに、第２の情報記録セル群１３の磁気記録セル１１に情報を記録させるタイミングを求め、このタイミングでこの磁気記録セル１１に情報を記録する必要がある。このタイミングを求める方法については、例えば以下に示す方法がある。
【０１０８】
上述したように、磁気記録再生装置２が磁気記録媒体１を回転させているとき、記録再生ヘッド７の磁気記録素子８は、磁気再生素子９が磁気記録媒体１の任意の位置を通過した後に、その位置を通過する構成となっている。従って、例えば磁気記録再生装置２は、第２の情報記録セル群１３に磁気再生素子９が進入して、検出信号１２ｓよりもピーク値の大きい検出信号１３ｓを検出したことをトリガーとして、所定の時間経過後に、磁気記録素子８が記録磁界を印加する構成としてもよい。
【０１０９】
ここで、所定の時間とは、磁気再生素子９が第２の情報記録セル群１３に進入して、最初の磁気記録セル１１のピーク値を検出してから、磁気記録素子８がこの磁気記録セル１１を通過するときまでの時間を示している。この所定の時間は、例えば磁気記録媒体１の回転速度と、磁気記録素子８及び磁気再生素子９の距離とから算出される。
【０１１０】
また、例えば磁気記録再生装置２は、第１の情報記録セル群１２で検出した検出信号１２ｓのピーク値をカウントしておくことによって、磁気記録素子８が第２の情報記録セル群１３に進入するタイミングを求める構成であってもよい。
【０１１１】
なお、記録時において、磁気記録素子８は、例えば同一方向（任意の方向でよい）への記録磁界を連続して発生させる構成であってもよい。また、この構成において、磁気記録素子８がスペース領域（ユーザデータ領域１０における磁気記録セル１１が存在しない非磁性層）に進入した場合には、磁界を発生させないようにしてもよい。一方、磁気記録素子８は、異なる方向への記録磁界を発生させる構成であってもよい。この場合、磁気記録素子８は、スペース領域において一旦発生磁界を０にすると共に、次に進入する磁気記録セル１１において所定の方向に磁界を発生させるようにしてもよい。また、磁気記録素子８は、発生する磁界の方向を瞬間的に変化させる構成であってもよい。
【０１１２】
磁気記録再生装置２は、記録再生ヘッド７が第２の情報記録セル群１３から再び第１の情報記録セル群１２に進入すると、磁気記録素子８が検出する信号のピーク値が小さくなることをトリガーとして、トラッキング制御（上述したフィードバック制御）と記録タイミングの調整とを行う。すなわち、磁気記録再生装置２は、磁気再生素子９が再び第１の情報記録セル群１２に進入して、検出信号１３ｓよりもピーク値の小さい検出信号１２ｓを検出したことをトリガーとして、第１の情報記録セル群１２においてトラッキング制御と記録タイミング制御とを行う。
【０１１３】
従って、記録再生ヘッド７が第１の情報記録セル群１２と第２の情報記録セル群１３とに対する進入を繰り返すことにより、磁気記録再生装置２は、オフトラック量（すなわち、記録したい磁気記録セル１１との位置ずれ）がより少ない状態で、この磁気記録セル１１に記録を行うことができる。すなわち、磁気記録再生装置２は、記録タイミング制御用の信号を検出するための領域を磁気記録媒体１に形成することなく、所望の磁気記録セル１１への記録を正確に行うことが可能となり、記録エラーを少なくすることができる。
【０１１４】
なお、磁気記録再生装置２は、検出信号１３ｓを検出することによって、第２の情報記録セル群１３の磁気記録セル１１への記録タイミング（すなわち、磁気記録素子８の記録磁界発生のタイミング）を求めてもよい。しかしながら、磁気記録再生装置２は、上述のように、検出信号１２ｓを検出することによって記録タイミングを求める構成であれば、記録時にフィードバック制御を行う必要がない。
【０１１５】
また、上述のように、磁気記録再生装置２が第２の情報記録セル群１３の磁気記録セル１１に対して情報の記録再生を行うときには、磁気再生素子９は、第１の情報記録セル群１２の磁気記録セル１１からトラッキング制御用の信号（すなわち、検出信号１２ｓ）を検出する。すなわち、磁気記録再生装置２は、磁気記録媒体１に２つの情報記録セル群が備えられているため、情報の記録再生を行うパターンとトラッキング制御用のパターンとを分けて信号検出を行う。
【０１１６】
これにより、磁気再生素子９は、トラッキング制御用の信号と再生信号とを時間的に分離して検出することができる。従って、磁気記録再生装置２は、検出される信号から、トラッキング制御用の信号と再生信号とを分離する必要がないため、これらの信号を分離するための回路を必要としないという効果を奏する。
【０１１７】
ここで、上記では、磁気記録再生装置２が第２の情報記録セル群１３に対して記録再生を行う場合について説明したが、磁気記録再生装置２は、第１の情報記録セル群１２に対して記録再生を行う場合も同様の制御を行う。この場合について、図４（ｂ）を用いて説明する。
【０１１８】
すなわち、第１の情報記録セル群１２に対する記録再生の場合、第２の情報記録セル群１３に対する記録再生の場合とは逆に、第２の情報記録セル群１３が、第１の情報記録セル群１２のトラッキング制御用及び記録タイミング制御用の信号が検出されるパターンとなる。
【０１１９】
図４（ｂ）に示すように、磁気記録再生装置２は、磁気記録媒体１を紙面右から左に回転させる。このため、記録再生ヘッド７は、トラックＴｒ２に沿って、第２の情報記録セル群１３の磁気記録セル１３Ａ、１３Ｂの順に、第１の情報記録セル群１２の方向に磁気記録セル１１からの信号を検出する。そして、磁気記録再生装置２は、記録再生ヘッド７が検出した各信号の振幅の偏差をなくすようにフィードバック制御を行うことによって、磁気記録媒体１の再生を行う。また、記録時には、磁気記録再生装置２は、第２の情報記録セル群１３で検出される信号をもとに、トラッキング制御及び記録タイミング制御を行う。
【０１２０】
以上のように、磁気記録媒体１は、磁気記録再生装置２に対して、ユーザデータ領域１０からの検出信号をトラッキング制御用又は記録タイミング制御用の信号として利用させるため、記憶容量を低下させることなく、記録再生ヘッド７の位置合わせを高精度に行わせることができる。一方、磁気記録再生装置２は、磁気記録媒体１に対して記録再生を行う場合には、再生エラー及び記録エラーを少なくすることができるため、従来の磁気記録媒体に対して記録再生を行う場合よりも、正確に記録再生を行うことができる。すなわち、磁気記録媒体１のユーザデータ領域１０の記憶容量を低下させることなく、記録エラー及び再生エラーの少ない磁気記録再生装置２を提供することが可能となる。
【０１２１】
また、磁気記録媒体１は、上述のように、記録再生ヘッド７が第１の情報記録セル群１２と第２の情報記録セル群１３とに対して交互に進入を繰り返すため、磁気記録再生装置２に対して、高い頻度でトラッキング制御用又は記録タイミング制御用の信号を検出させることができる。
【０１２２】
なお、第１の情報記録セル群１２の円周方向に対する幅１２ｗと第２の情報記録セル群１３の円周方向に対する幅１３ｗとの変更にあわせて、トラッキング制御及び記録タイミング制御の検出頻度を任意に設定してもよい。例えば、上記幅１２ｗと１３ｗとをより狭く形成することによって、磁気記録再生装置２は、トラッキング制御用及び記録タイミング制御用の信号の検出頻度を上げて記録再生を行うことができるため、トラッキングエラー及び記録タイミングエラーを発生しにくくなる。従って、この場合には、磁気記録媒体１のユーザデータ領域１０の記憶容量をより低下させることなく、記録エラー及び再生エラーをより少ない磁気記録再生装置２を提供することが可能となる。
【０１２３】
ここで、磁気記録再生装置２が磁気記録媒体１に対して再生を行う順番については、様々な方法が考えられるが、例えば以下の２つの方法が挙げられる。
【０１２４】
１つの方法として、第１の情報記録セル群１２に含まれるトラックと、第２の情報記録セル群１３に含まれるトラックとを、交互に再生する場合が考えられる。この場合、磁気記録再生装置２は、次のトラックの再生に移行するときに、第１の情報記録セル群１２及び第２の情報記録セル群１３のトラックピッチの半分だけ、記録再生ヘッド７を内周側又は外周側に移動させるように対応する。
【０１２５】
また、もう１つの方法としては、磁気記録媒体１の任意の半径方向の範囲及び／又は円周方向の範囲において、第１の情報記録セル群１２に含まれるトラックを連続して再生した後、第２の情報記録セル群１３に含まれるトラックを連続して再生する場合が考えられる。この場合、磁気記録再生装置２は、第１の情報記録セル群１２におけるトラックピッチ分だけ、記録再生ヘッド７を内周側又は外周側に移動させた後、第２の情報記録セル群１３を第１の情報記録セル群１２と同様に制御して、磁気記録媒体１の再生を行うように対応する。
【０１２６】
なお、上記では、磁気記録再生装置２が磁気記録媒体１に対して再生を行う順番についての一例を説明したが、この方法は、磁気記録再生装置２が磁気記録媒体１に対して記録を行う場合にも適用することができる。
【０１２７】
上記では、第２の情報記録セル群１３の各トラックの半径位置が、第１の情報記録セル群１２の各トラックの半径位置に対して、トラックピッチの半分だけ異なるように配置されている磁気記録媒体１の構成について説明した。しかしながら、磁気記録媒体１の構成はこれに限られたものではなく、上記第１の情報記録セル群１２と第２の情報記録セル群１３との配置関係がトラックピッチの半分から僅かにずれている構成であってもよい。この構成の場合、磁気記録再生装置２は、例えば以下のように動作することによって、トラッキング制御を行うことが考えられる。
【０１２８】
まず、磁気記録再生装置２は、任意の記録再生ヘッド７の位置（磁気記録媒体１の半径位置）において、磁気記録素子８による記録動作と磁気再生素子９による再生動作とを行い、磁気再生素子９が検出する再生信号から得られるエラーレートを記憶する。そして、磁気記録再生装置２は、上記記録動作、再生動作及びエラーレートの記憶動作を、記録再生ヘッド７の半径位置毎に繰り返し行う。
【０１２９】
すなわち、磁気記録再生装置２は、記録再生ヘッド７を磁気記録媒体１の任意の半径位置に移動させ、上記記録動作を行った後に上記再生動作を行い、このとき検出される再生信号のエラーレートを記憶する。そして、磁気記録再生装置２は、同様の動作を、磁気記録媒体１の各半径位置に対して繰り返し行う。なお、磁気記録再生装置２は、再生信号のエラーレートを記憶すると共に、このエラーレートに対応する、記録動作時の記録再生ヘッド７の半径位置と、再生動作時の記録再生ヘッド７の半径位置とを記憶する。また、磁気記録再生装置２には、備えられる磁気記録媒体１のトラックピッチＴＰが予め記憶されている。
【０１３０】
次に、磁気記録再生装置２は、記憶したエラーレートから最小のエラーレートを検出することにより、該最小エラーレートに対応する、記録動作時の記録再生ヘッド７の半径位置ｒ１と、再生動作時の記録再生ヘッド７の半径位置ｒ２とを決定する。すなわち、磁気記録再生装置２は、上記記憶動作時に記憶したエラーレートのうち、最小のエラーレートとなる上記記録動作を行ったときの記録再生ヘッド７の半径位置ｒ１とし、該最小のエラーレートとなる上記再生動作を行ったときの記録再生ヘッド７の半径位置ｒ２とする。磁気記録再生装置２は、決定した半径位置ｒ１、ｒ２及び記憶しているトラックピッチＴＰから、第１の情報記録セル群１２と第２の情報記録セル群１３との半径方向における距離を（ＴＰ／２−（ｒ１−ｒ２））と決定する。
【０１３１】
そして、磁気記録再生装置２は、決定した上記距離（ＴＰ／２−（ｒ１−ｒ２））を記憶した後、磁気再生素子９がこの距離分だけオフトラックした状態のときの、奇数番目と偶数番目の磁気記録セル１１からの信号振幅の差を求めて記憶する。磁気記録再生装置２は、この記録した信号振幅の差をもとに、記録再生時のトラッキング制御を行う。
【０１３２】
つまり、磁気記録再生装置２は、第２の情報記録セル群１３から検出される信号を用いて、第１の情報記録セル群１２における記録再生時のトラッキング制御を行う場合、第２の情報記録セル群１３で検出される信号から得られる奇数番目と偶数番目との磁気記録セル１１からの信号振幅の差が、上記信号振幅の差となるように記録再生ヘッド７の位置に対するフィードバック制御を行う。
【０１３３】
従って、磁気記録再生装置２は、磁気記録媒体１が第１の情報記録セル群１２と第２の情報記録セル群１３との配置関係がトラックピッチの半分から僅かにずれている構成であっても、記録エラー及び再生エラーを少なくすることができ、正確に記録再生を行うことができる。すなわち、磁気記録媒体１は、上記構成であっても、ユーザデータ領域１０の記憶容量を低下させることなく、記録エラー及び再生エラーの少ない磁気記録再生装置２を提供することができる。
【０１３４】
〔磁気記録媒体１の変形例〕
ここで、上記磁気記録媒体１の変形例について図６を用いて説明する。図６は、セクタ分離パターン１５が設けられた磁気記録媒体１の概略構成を示す図であり、同図（ａ）は、セクタ分離パターン１５を第１の情報記録セル群１２と第２の情報記録セル群１３との間に設けたときの磁気記録媒体１の概略構成を示す図あり、同図（ｂ）は、セクタ分離パターン１５を第２の情報記録セル群１３の任意の位置に設けたときの磁気記録媒体１の概略構成を示す図ある。
【０１３５】
図６（ａ）に示すように、磁気記録媒体１は、第１の情報記録セル群１２と第２の情報記録セル群１３との境界部に、セクタを分けるためのセクタ分離パターン１５を設けていてもよい。また、磁気記録媒体１は、図６（ｂ）に示すように、第２の情報記録セル群１３の任意の位置に、セクタ分離パターン１５を設けていてもよい。同様に、図示しないが、磁気記録媒体１は、第１の情報記録セル群１２の任意の位置に、セクタ分離パターン１５を設けていてもよい。なお、図６（ａ）及び図６（ｂ）では、磁気記録セル１１の形状が円柱状となっているが、これに限らず、例えば四角柱状、楕円柱状及び球状等、孤立した磁気記録セル１１に磁気情報が記録できれば形状であればどのような形状であってもよい。
【０１３６】
なお、磁気記録媒体１にセクタ分離パターン１５が設けられた構成の場合であっても、上述した記録再生方法を適用可能である。また、上述した記録再生を行う順番による磁気記録再生装置２の制御方法についても、何れかのセクタ領域内に連続して記録再生が行われるときに適用される。
【０１３７】
また、本発明は、上記のような磁気記録媒体１及び磁気記録再生装置２に限られるものではなく、例えば、誘電体記録媒体及び誘電体記録再生装置についても同様に提供することができる。この場合、記録媒体としては誘電体記録セルを備えた誘電体記録媒体を用いればよく、記録再生装置は、分極方向を検出する素子（再生素子）及び分極方向を変化させる素子（記録素子）を備えた記録再生ヘッドを具備していればよい。
【０１３８】
〔実施形態２〕
本発明の他の実施形態について図７〜図１０に基づいて説明すると以下の通りである。なお、実施形態１と同一の機能を有する部材については、同一の符号を付記し、その説明は省略する。
【０１３９】
〔磁気記録媒体１ａの概略構成〕
本実施形態に係る磁気記録媒体１ａは、図７に示すように、トラック識別情報が記録されたアドレス領域１６が備えている点で、実施形態１に係る磁気記録媒体１とは異なる。また、図７に示す磁気記録媒体１ａでは、磁気記録セル１１の形状が四角柱状となっている。図７は、ユーザデータ領域１０に磁気記録セル１１とアドレス領域１６とが形成された磁気記録媒体１ａの概略構成を示す図である。
【０１４０】
まず、実施形態１と同様、磁気記録媒体１ａのユーザデータ領域１０には、孤立した四角柱状の磁気記録セル１１が、隣接するトラックに形成された磁気記録セル１１と互い違いになるように配列されている。なお、本実施形態に係る磁気記録媒体１ａの磁気記録セル１１の大きさは、一辺の長さ３０ｎｍ及び高さ３０ｎｍとなっているが、これに限らず、一辺の長さ５ｎｍ〜４５ｎｍ及び高さ１０ｎｍ〜６０ｎｍとなっていればよい。
【０１４１】
そして、第１の情報記録セル群１２と第２の情報記録セル群１３とは、第２の情報記録セル群１３の磁気記録セル１１が形成される各トラックの半径位置が、第１の情報記録セル群１２の磁気記録セル１１が形成される各トラックの半径位置に対して、トラックピッチの半分だけ異なるように配置されている。本実施形態に係る磁気記録媒体１ａでは、第１の情報記録セル群１２の磁気記録セル１１が形成される各トラックの半径位置は、第２の情報記録セル群１３が形成される各トラック位置の半径位置より半分だけ内周側に配置されている。
【０１４２】
また、実施形態１と同様、磁気記録媒体１ａの任意の磁気記録セル１１は、その周方向位置が、隣接するトラックにおいて隣り合った２つの磁気記録セル１１の中心位置となるように形成されている。さらに、磁気記録媒体１ａにおいても、磁気記録セル１１が形成されていない領域には、非磁性体層が形成されている。
【０１４３】
なお、磁気記録媒体１ａの回転方向は、図７に示すように、紙面右から左（矢印方向）となっているため、磁気記録再生装置２は、磁気記録媒体１ａに配列された磁気記録セル１１に対して紙面左から順に信号検出していく。また、磁気記録媒体１ａは、例えば媒体面内方向に対して垂直方向に磁化されることで、情報が記録されるタイプの媒体である。
【０１４４】
また、磁気記録素子８と磁気再生素子９との磁気記録媒体１ａから見た円周方向における位置関係は、記録再生ヘッド７が回転する磁気記録媒体１ａの任意の位置を通過するとき、この任意の位置上を磁気再生素子９が先に通過し、磁気記録素子８がその後に通過するような位置関係となっている。
【０１４５】
さらに、磁気記録媒体１ａは、図７に示すように、実施形態１に係る磁気記録媒体１とは異なり、第１の情報記録セル群１２の各トラックを識別するトラック識別情報が記録されたアドレス領域１６を備えている。本実施形態では、アドレス領域１６には、第１の情報記録セル群１２の各トラックを識別するために、磁気情報を有する識別パターン１７が形成されている。
【０１４６】
〔磁気記録媒体１ａの記録再生方法〕
以下、磁気記録再生装置２が磁気記録媒体１ａに対して磁気情報を記録再生する方法について、図７及び図８を用いて説明する。ここでは、磁気記録再生装置２が、再生時のトラッキング制御に関し、アドレス領域１６から第２の情報記録セル群１３の方向に向かって、トラックＴｒ３又はトラックＴｒ４に沿って、信号を検出していく場合を考える。
【０１４７】
図７に示すように、磁気記録再生装置２は、磁気記録媒体１を回転させると、トラックＴｒ３（又はトラックＴｒ４）に対して第２の情報記録セル群１３の内周側（紙面の下側）にある磁気記録セル１１と、トラックＴｒ３に対して外周側（紙面の上側）にある磁気記録セル１１とを交互に検出していく。そして、磁気記録再生装置２は、磁気再生素子９が、第２の情報記録セル群１３に進入したときの奇数番目及び偶数番目の磁気記録セル１１から検出される各信号の、スライスレベル１４からの振幅を比較することによって、実施形態１と同様、トラッキング制御を行う。
【０１４８】
なお、第２の情報記録セル群１３に進入したときの奇数番目の磁気記録セル１１とは、磁気再生素子９がトラックＴｒ３上にある場合には、トラックＴｒ３に対して外周側にある磁気記録セル１１を指す。一方で、磁気再生素子９がトラックＴｒ４上にある場合には、奇数番目の磁気記録セル１１とは、トラックＴｒ４に対して内周側にある磁気記録セル１１を指す。また、第２の情報記録セル群１３に進入したときの偶数番目の磁気記録セル１１については、上記の関係が反対になる。
【０１４９】
ここで、磁気記録媒体１にアドレス領域１６が備えられておらず、奇数番目の磁気記録セル１１から検出された信号の振幅が、偶数番目の磁気記録セル１１から検出された信号の振幅よりも大きい場合を考える。この場合、トラックＴｒ３では、記録再生ヘッド７が外周側にオフトラックが生じている一方、トラックＴｒ４では、記録再生ヘッド７が内周側にオフトラックを生じている。すなわち、奇数番目の磁気記録セル１１から検出された信号の振幅が、偶数番目の磁気記録セル１１から検出された信号の振幅よりも大きい場合であっても、トラックＴｒ３とトラックＴｒ４とでは、記録再生ヘッド７のオフトラック方向が異なることがわかる。
【０１５０】
本実施形態に係る磁気記録媒体１ａは、磁気情報を有する識別パターン１７が形成されたアドレス領域１６を備えている。すなわち、磁気記録媒体１ａは、第１の情報記録セル群１２の各トラックを識別するトラック識別情報が記録されたアドレス領域１６を備えている。このため、磁気記録再生装置２は、どちらのトラック上に記録再生ヘッド７があるかを明確に区別することができる。
【０１５１】
すなわち、記録再生ヘッド７がトラックＴｒ３上にある場合には、アドレス領域１６の識別パターン１７から検出する信号は、図８（ａ）に示す検出信号Ｔｒ３ｓ（１６ｓ）のようになる。一方、記録再生ヘッド７がトラックＴｒ４上にある場合には、アドレス領域１６の識別パターン１７から検出する信号は、図８（ｂ）に示す検出信号Ｔｒ４ｓ（１６ｓ）のようになる。つまり、記録再生ヘッド７がトラックＴｒ３上にある場合とトラックＴｒ４上にある場合とでは、記録再生ヘッド７によって検出される信号が異なる。
【０１５２】
このように、磁気記録媒体１ａがアドレス領域１６を備え、各トラックに対応するように、アドレス領域１６の識別パターン１７を配列することで、磁気記録再生装置２は、記録再生ヘッド７がどのトラック上にあるのかを特定することができる。すなわち、磁気記録再生装置２は、記録再生ヘッド７が信号検出を行っているトラックを識別することができる。
【０１５３】
つまり、磁気記録再生装置２は、第２の情報記録セル群１３からの検出信号１３ｓの、スライスレベル１４からの振幅の差を比較することによって、オフトラック量を検出する。また、磁気記録再生装置２は、識別パターン１７からの識別情報をもとに、トラッキング制御用又は記録タイミング制御用の信号を順次検出していくときに、奇数番目及び偶数番目に検出する磁気記録セル１１が、磁気記録媒体１ａにおける任意のトラックの内周側であるか外周側であるかを特定する。なお、上記トラッキング制御用又は記録タイミング制御用の信号とは、ここでは、記録再生ヘッド７が第２の情報記録セル群１３から検出する検出信号を指す。
【０１５４】
これにより、磁気記録再生装置２は、磁気記録媒体１ａに対して情報を記録再生する場合には、記録再生ヘッド７のオフトラック量と共にオフトラック方向も特定することができるため、フィードバック制御を確実に行うことができる。
【０１５５】
なお、図８は、記録再生ヘッド７が、トラックＴｒ３又はトラックＴｒ４に沿って、アドレス領域１６の識別パターン１７から信号を検出したときの検出信号を示す模式図あり、同図（ａ）は、記録再生ヘッド７がトラックＴｒ３を沿って信号を検出した場合の検出信号Ｔｒ３ｓ（１６ｓ）を示す模式図であり、同図（ｂ）は、記録再生ヘッド７がトラックＴｒ４を沿って信号を検出した場合の検出信号Ｔｒ４ｓ（１６ｓ）を示す模式図である。
【０１５６】
ここで、再生時における磁気再生素子９又は記録時における磁気記録素子８のトラッキング制御に関しては、実施形態１と同様に行うことができる。すなわち、磁気記録再生装置２が第１の情報記録セル群１２の再生又は記録する場合には、第２の情報記録セル群１３がトラッキング制御及び／又は記録タイミング調整（すなわち記録タイミング制御）用のパターンとなる。一方、磁気記録再生装置２が第２の情報記録セル群１３の再生又は記録する場合には、第１の情報記録セル群１２がトラッキング及び／又は記録タイミング制御用のパターンとなる。
【０１５７】
これにより、実施形態１と同様、磁気記録媒体１ａは、磁気記録再生装置２に対して、ユーザデータ領域１０からの検出信号をトラッキング制御用又は記録タイミング制御用の信号として利用させるため、記憶容量を低下させることなく、高精度な記録再生ヘッド７の位置合わせを行わせることができる。すなわち、磁気記録媒体１ａは、ユーザデータ領域１０の記憶容量を低下させることなく、記録エラー及び再生エラーの少ない磁気記録再生装置２を提供することが可能となる。
【０１５８】
なお、実施形態１と同様、第１の情報記録セル群１２の円周方向に対する幅１２ｗと第２の情報記録セル群１３の円周方向に対する幅１３ｗの変更にあわせて、トラッキング制御及び記録タイミング制御の検出頻度を任意に設定してもよい。例えば、上記幅１２ｗと１３ｗとをより狭く形成することによって、磁気記録再生装置２は、トラッキング制御用及び記録タイミング制御用の信号の検出頻度を上げて記録再生を行うことができるため、トラッキングエラー及び記録タイミングエラーを発生しにくくなる。従って、この場合には、磁気記録媒体１ａのユーザデータ領域１０の記憶容量をより低下させることなく、記録エラー及び再生エラーをより少ない磁気記録再生装置２を提供することが可能となる。
【０１５９】
なお、識別パターン１７は、ユーザデータ領域１０の磁気記録セル１１のように、均一な形状をしている必要はなく、図７に示すように、いくつかのトラックに渡って連続した形状であってもよい。すなわち、アドレス領域１６は、様々な形状の識別パターン１７を含む構成であってよい。
【０１６０】
また、アドレス領域１６には、識別パターン１７の配列が示すように、第１の情報記録セル群１２におけるトラックの識別情報が記録されていたが、第２の情報記録セル群１３におけるトラックの識別情報を記録するためのアドレス領域が新たに設けられていてもよい。さらに、アドレス領域１６の中に、第１の情報記録セル群１２及び第２の情報記録セル群１３におけるトラックの識別情報が記録されていてもよい。なお、アドレス領域１６の形態は、上記構成に限られるものではなく、トラックを識別することができる形態であればどのような形態であってもよい。
【０１６１】
また、本実施形態からもわかるように、アドレス領域には、少なくとも、第１の情報記録セル群１２（又は第２の情報記録セル群１３）の任意のトラックが、磁気記録媒体１ａの内周側から奇数番目のトラックであるか、偶数番目のトラックであるかを示す情報が記録されていればよい。以下、この構成のアドレス領域１６ｂを有する磁気記録媒体１ｂについて、図９及び図１０を用いて説明する。
【０１６２】
図９は、アドレス領域１６ｂを有する磁気記録媒体１ｂの概略構成を示す図である。例えば図９では、アドレス領域１６ｂには、磁気記録媒体１ｂの内周側から奇数番目のトラックＴｒ５と偶数番目のトラックＴｒ６とを区別するような情報が記録されている。すなわち、アドレス領域１６ｂ内の奇数番目のトラック（例えばトラックＴｒ５）には四角柱状の識別パターン１７が形成されているが、アドレス領域１６内の偶数番目のトラック（例えばトラックＴｒ６）には四角柱状の識別パターン１７は形成されていない。
【０１６３】
次に、磁気記録再生装置２が図９に示す磁気記録媒体１ｂのトラックＴｒ５及びトラックＴｒ６に沿って検出する信号を、それぞれ図１０（ａ）及び図１０（ｂ）に示す。なお、図１０は、記録再生ヘッド７が、トラックＴｒ３又はトラックＴｒ４に沿って、アドレス領域１６ｂの識別パターン１７及び第２の情報記録セル群１３の磁気記録セル１１から信号を検出したときの検出信号を示す模式図あり、同図（ａ）は、記録再生ヘッド７がトラックＴｒ５を沿って信号を検出した場合の検出信号Ｔｒ５ｓを示す模式図であり、同図（ｂ）は、記録再生ヘッド７がトラックＴｒ６を沿って信号を検出した場合の検出信号Ｔｒ６ｓを示す模式図である。
【０１６４】
図１０（ａ）及び図１０（ｂ）に示すように、記録再生ヘッド７がアドレス領域１６ｂで検出する信号１６ｓが、磁気記録媒体１ａの内周側から奇数番目のトラックＴｒ５と偶数番目のトラックＴｒ６とで異なっている。ここで、図９に示すように、トラックＴｒ５では、記録再生ヘッド７が第２の情報記録セル群１３に進入すると、奇数番目に検出する磁気記録セル１１が外周側となり、偶数番目に検出する磁気記録セル１１が内周側となる。一方、トラックＴｒ６では、記録再生ヘッド７が第２の情報記録セル群１３に進入すると、奇数番目に検出する磁気記録セル１１が内周側となり、偶数番目に検出する磁気記録セル１１が外周側となる。
【０１６５】
すなわち、磁気記録再生装置２が磁気記録媒体１ｂの内周側から奇数番目のトラックであるか、偶数番目のトラックであるかを識別することによって、図７に示す磁気記録媒体１ａを用いて説明した場合と同様の効果を得ることができる。つまり、磁気記録再生装置２は、トラッキング制御用又は記録タイミング制御用の信号を順次検出していくときに、奇数番目及び偶数番目に検出する磁気記録セル１１が、磁気記録媒体１ｂの第２の情報記録セル群１３の内周側であるか外周側であるかを特定することが可能となる。
【０１６６】
従って、磁気記録再生装置２は、磁気記録媒体１ｂに対して記録再生を行う場合であっても、記録再生ヘッド７のオフトラック方向が、磁気記録媒体１に対して内周方向であるか外周方向であるかを特定することが可能である。すなわち、磁気記録再生装置２は、アドレス領域１６ｂに少なくとも、磁気記録媒体１ｂの内周側から奇数番目のトラックであるか、偶数番目のトラックであるかを示す情報について記録されていれば、記録再生ヘッド７のオフトラック方向を特定することができる。
【０１６７】
なお、本実施形態に係る磁気記録媒体１ａ、１ｂは、上述の実施形態１と同様、図６（ａ）に示すように、第１の情報記録セル群１２と第２の情報記録セル群１３との境界部に、セクタを分けるためのセクタ分離パターン１５を設けていてもよい。また、磁気記録媒体１ａ、１ｂは、図６（ｂ）に示すように、第２の情報記録セル群１３の任意の位置に、セクタ分離パターン１５を設けていてもよい。同様に、磁気記録媒体１ａ、１ｂは、第１の情報記録セル群１２の任意の位置に、セクタ分離パターン１５を設けていてもよい。
【０１６８】
また、磁気記録再生装置２が磁気記録媒体１ａ、１ｂに対して再生を行う順番についても、上述の実施形態１で説明した方法を適用することができる。また、磁気記録媒体１ａ、１ｂの製造方法についても、磁気記録媒体１の製造方法を適用することができる。すなわち、磁気記録セル１１を形成する材料、微細パターンの形成方法についても、上述の実施形態１と同様の材料、方法を用いることができる。さらに、実施形態１でも説明したように、磁気記録媒体１ａ、１ｂについても、その両面に磁気記録面を設ける構成としてもよい。
【０１６９】
さらに、アドレス領域１６、１６ｂにおける識別パターン１７が保有している磁気情報は、磁気記録セル１１と同様、磁化の向きが揃っていてもよいし、ランダムに上下方向を向いていてもよい。
【０１７０】
〔実施形態３〕
本発明の他の実施形態について図１１及び図１２に基づいて説明すると以下の通りである。なお、実施形態１、２と同一の機能を有する部材については、同一の符号を付記し、その説明は省略する。
【０１７１】
〔磁気記録媒体１ｃの概略構成〕
本実施形態に係る磁気記録媒体１ｃは、図１１に示すように、磁気記録セル１１の形状が楕円柱状である点で、実施形態１、２とは異なる。なお、本実施形態に係る磁気記録媒体１ｃの磁気記録セル１１の大きさは、楕円の長径４０ｎｍ及び高さ３０ｎｍとなっているが、これに限らず、楕円の長径１０ｎｍ〜５０ｎｍ及び高さ１０ｎｍ〜６０ｎｍとなっていればよい。
【０１７２】
また、本実施形態に係る磁気記録媒体１ｃは、任意の磁気記録セル１１のその周方向位置が、隣接するトラックにおいて隣り合った２つの磁気記録セル１１の中心位置とは異なる位置に形成されている点においても、実施形態１、２とは異なる。なお、図１１は、磁気記録媒体１ｃの第２の情報記録セル群１３の概略構成を示す図である。
【０１７３】
図１１に示すように、トラックＴｒ７は、トラックＴｒ８と隣接しており、トラックＴｒ７には磁気記録セル１１Ａがあり、トラックＴｒ８には磁気記録セル１１Ｂ、１１Ｃがある。そして、トラックＴｒ７の磁気記録セル１１Ａの周方向位置は、トラックＴｒ８において磁気記録セル１１Ａと最も近接した位置にある磁気記録セル１１Ｂの周方向位置と、磁気記録セル１１Ａと２番目に近接した磁気記録セル１１Ｃの周方向位置との中心位置とはなっていない。
【０１７４】
つまり、実施形態１、２とは異なり、磁気記録セル１１Ａと磁気記録セル１１Ｂとの円周方向における距離ｐ１と、磁気記録セル１１Ａと磁気記録セル１１Ｃとの円周方向における距離ｐ２とが等しくない（なお、本実施形態ではｐ１＜ｐ２）。
【０１７５】
また、磁気記録セル１１Ａと、トラックＴｒ７の内周側で隣接するトラックＴｒ９において磁気記録セル１１Ａに最も近接した磁気記録セル１１Ｄとの円周方向における距離は、上記距離ｐ１と等しい。同様に、磁気記録セル１１Ａと、トラックＴｒ７の内周側で隣接するトラックＴｒ９において磁気記録セル１１Ａに２番目に近接した磁気記録セル１１Ｅとの円周方向における距離は、上記距離ｐ２と等しい。
【０１７６】
さらに、実施形態１、２とは異なり、磁気記録媒体１ｃでは、トラックＴｒ７の磁気記録セル１１の周方向位置と、トラックＴｒ７に対して２番目に近いトラックＴｒ１０における磁気記録セル１１の周方向位置とが異なっている。なお、磁気記録媒体１ｃでは、どの磁気記録セル１１を見ても、上述したような位置関係となっている。
【０１７７】
以上のように、図１１に示すように磁気記録セル１１を配置することで、第２の情報記録セル群１３をトラッキング制御用又は記録タイミング制御用のパターンとして利用する場合、磁気再生素子９がオフトラックとなったときのオフトラック方向が内周方向であるか、外周方向であるかを特定することができる。本実施形態３においても、磁気記録再生装置２がオフトラック方向を特定できることについては、後に詳述する。
【０１７８】
〔磁気記録媒体１ｃの記録再生方法〕
以下、磁気記録再生装置２が磁気記録媒体１ｃに対して磁気情報を記録再生する方法について、図１１及び図１２を用いて説明する。ここでは、記録再生ヘッド７が、第２の情報記録セル群１３において、トラックＴｒ１１に沿って、第２の情報記録セル群１３においてトラッキング制御用及び記録タイミング制御用の信号を検出していく場合を考える。
【０１７９】
図１１に示すように、磁気記録媒体１ｃの回転方向が紙面右から左へ向かう方向（図１１に示す矢印方向）であるため、磁気再生素子９は、トラックＴｒ１１に沿って第２の情報記録セル群１３を紙面左側から順次検出していく。
【０１８０】
上述したように、トラッキング制御に際しては、磁気再生素子９は、トラックＴｒ１１の内周側（紙面の下側）にある磁気記録セル１１と、外周側（紙面の上側）にある磁気記録セル１１とから交互に信号を検出する。そして、トラックＴｒ１１の内周側及び外周側の磁気記録セル１１から検出される信号の、スライスレベル１４からの振幅を比較することによってトラッキング制御を行う。
【０１８１】
本実施形態に係る磁気記録媒体１ｃにおいては、上述したように、距離ｐ１と距離ｐ２とが異なると共に、どの磁気記録セル１１を見ても図１１に示すような位置関係になっているため、記録再生ヘッド７のオフトラック方向を特定できる。以下、この点について図１２を用いて詳しく説明する。
【０１８２】
図１２は、記録再生ヘッド７が、トラックＴｒ１１に沿って、第２の情報記録セル群１３の磁気記録セル１１から信号を検出したときの検出信号１３ｓを示す模式図である。ここで、磁気記録セル１１Ａを検出してから磁気記録セル１１Ｂを検出するまでの時間（「任意の磁気記録セル」を検出した後、該「任意の磁気記録セル」に隣接したトラックにおいて最も近接した磁気記録セルを検出するまでの時間）をｔ１で示している。一方、磁気記録セル１１Ｃを検出してから磁気記録セル１１Ａを検出するまでの時間（「任意の磁気記録セル」に隣接したトラックにおいて２番目に近接した磁気記録セルを検出した後、該「任意の磁気記録セル」を検出するまでの時間）をｔ２で示している。
【０１８３】
図１１に示すように、磁気記録媒体１ｃにおいては距離ｐ１＜ｐ２の関係にあるため、図１２に示す時間ｔ１、ｔ２の関係は、ｔ１＜ｔ２となる。このため、磁気記録再生装置２は、信号を検出するときの時間を計測することによって、記録再生ヘッド７が沿うトラックの内周側の磁気記録セル１１からの検出信号１３ｓであるか、外周側の磁気記録セル１１からの検出信号１３ｓであるかを特定することができる。
【０１８４】
具体的に、記録再生ヘッド７が任意の磁気記録セル１１からの信号を検出したｔ１後に、次の磁気記録セル１１からの信号を検出した場合を考える。この場合、磁気記録再生装置２は、最初に検出した信号が、トラックＴｒ１１に対して内周側のトラックＴｒ７における磁気記録セル１１からの検出信号１３ｓであると特定することができる。一方、磁気記録再生装置２は、次に検出した信号が、トラックＴｒ１１に対して外周側のトラックＴｒ８における磁気記録セル１１からの検出信号１３ｓであることが特定することができる。
【０１８５】
また、記録再生ヘッド７が任意の磁気記録セル１１からの信号を検出したｔ２後に、次の磁気記録セル１１からの信号を検出した場合を考える。この場合、磁気記録再生装置２は、最初に検出した信号が、トラックＴｒ１１に対して外周側のトラックＴｒ８における磁気記録セル１１からの検出信号１３ｓであると特定することができる。一方、磁気記録再生装置２は、次に検出した信号が、トラックＴｒ１１に対して内周側のトラックＴｒ７における磁気記録セル１１からの検出信号１３ｓであることが特定することができる。
【０１８６】
つまり、磁気記録再生装置２は、上述のように、検出信号１３ｓを検出したときの磁気記録セル１１が、記録再生ヘッド７が沿うトラックの内周側にあるか、外周側にあるかを特定することができる。このため、磁気記録再生装置２は、記録再生ヘッド７がオフトラックを生じた場合であっても、オフトラック方向を特定することができる。また、磁気記録再生装置２は、上述のように、第２の情報記録セル群１３からの検出信号１３ｓの、スライスレベル１４からの振幅の差を比較することによって、オフトラック量を検出することができる。
【０１８７】
従って、磁気記録再生装置２は、磁気記録媒体１ｃに対して情報を記録再生する場合には、記録再生ヘッド７のオフトラック量と共にオフトラック方向も特定することができるため、フィードバック制御を確実に行うことができる。
【０１８８】
ここで、上記実施形態１と同様、磁気記録再生装置２が第１の情報記録セル群１２の再生又は記録する場合には、第２の情報記録セル群１３がトラッキング制御及び／又は記録タイミング制御用のパターンとなる。一方、磁気記録再生装置２が第２の情報記録セル群１３の再生又は記録する場合には、第１の情報記録セル群１２がトラッキング及び／又は記録タイミング制御用のパターンとなる。
【０１８９】
これにより、実施形態１と同様、磁気記録媒体１ｃは、磁気記録再生装置２に対して、ユーザデータ領域１０からの検出信号をトラッキング制御用又は記録タイミング制御用の信号として利用させるため、高い頻度でトラッキング制御用又は記録タイミング制御用の信号を検出させることができる。つまり、磁気記録媒体１ｃは、記憶容量を低下させることなく、高精度な記録再生ヘッド７の位置合わせが可能な、すなわち再生エラー及び記録エラーの少ない磁気記録再生装置２を提供することが可能となる。
【０１９０】
また、実施形態１と同様、第１の情報記録セル群１２の円周方向に対する幅１２ｗと第２の情報記録セル群１３の円周方向に対する幅１３ｗの変更にあわせて、トラッキング制御及び記録タイミング制御の検出頻度を任意に設定してもよい。例えば、上記幅１２ｗと１３ｗとをより狭く形成することによって、磁気記録再生装置２は、トラッキング制御用及び記録タイミング制御用の信号の検出頻度を上げて記録再生を行うことができるため、トラッキングエラー及び記録タイミングエラーを発生しにくくなる。従って、この場合には、磁気記録媒体１ｃのユーザデータ領域１０の記憶容量をより低下させることなく、記録エラー及び再生エラーをより少ない磁気記録再生装置２を提供することが可能となる。
【０１９１】
なお、本実施形態３に係る磁気記録媒体１ｃにおいても、上述の実施形態１と同様、図６（ａ）に示すように、第１の情報記録セル群１２と第２の情報記録セル群１３との境界部に、セクタを分けるためのセクタ分離パターン１５を設けていてもよい。また、磁気記録媒体１ｃは、図６（ｂ）に示すように、第２の情報記録セル群１３の任意の位置に、セクタ分離パターン１５を設けていてもよい。同様に、磁気記録媒体１ｃは、第１の情報記録セル群１２の任意の位置に、セクタ分離パターン１５を設けていてもよい。
【０１９２】
また、上述の実施形態２と同様、磁気記録再生装置２が磁気記録媒体１ｃに対して再生を行う順番、及び、磁気記録媒体１ｃの製造方法についても、実施形態１での方法を適用することができる。
【０１９３】
ここで、本実施形態に係る記録再生ヘッド７の磁気再生素子９において、該磁気再生素子９の円周方向における空間分解可能幅Ｓｗであるとき、上述した距離ｐ１との関係が、Ｓｗ＜ｐ１であることが好ましい。なお、本明細書における磁気再生素子９の空間分解可能幅Ｓｗとは、磁気再生素子９が単一の磁気記録セル１１上を走査したときに得られる信号の半値幅（時間軸）をｔ、走査時の線速度をｖとしたとき、「ｔ×ｖ」で表される値を指す。また、上述した距離ｐ１とは、任意の磁気記録セル１１と、隣接するトラックにおいて該磁気記録セル１１に最も近接する磁気記録セル１１との円周方向における距離を指す。
【０１９４】
上記関係の場合、磁気記録再生装置２は、トラッキング制御用及び記録タイミング制御用の信号を検出するときに、各々の磁気記録セル１１からの検出信号を分離しやすくなるため、トラッキングエラー及び記録タイミングエラーが生じにくくすることができる。これは、この構成によれば、隣接する磁気記録セル１１からの信号に起因した検出信号の歪みが小さくなるためである。
【０１９５】
なお、上記構成は、本実施形態に限られるものではなく、上記実施形態１、２についても同様の効果を奏する。すなわち、実施形態１、２に係る磁気記録媒体１、１ａ、１ｂでは、任意の磁気記録セル１１の周方向位置が、隣接するトラックにおいて隣り合った２つの磁気記録セル１１の中心位置となるように形成されている。
【０１９６】
この場合、磁気再生素子９の空間分解可能幅Ｓｗが、任意の磁気記録セル１１と、隣接するトラックにおける磁気記録セル１１との距離よりも小さい場合、磁気記録再生装置２は、トラッキング制御用及び記録タイミング制御用の信号を検出するときに、各々の磁気記録セル１１からの検出信号を分離しやすくすることができる。すなわち、磁気記録再生装置２は、磁気記録媒体１、１ａ、１ｂから上記信号を検出するときに、トラッキングエラー及び記録タイミングエラーを生じにくくすることができる。
【０１９７】
従って、上記空間分解可能幅Ｓｗとし、任意の磁気記録セル１１と、該磁気記録セル１１と最も近接した周方向位置にある磁気記録セル１１との距離Ｄとするとき、これらの関係がＳｗ＜Ｄとなる場合には、磁気記録再生装置２は上述のような効果を奏する。
【０１９８】
また、磁気記録再生装置２は、その初期動作（例えば、磁気記録再生装置２の起動）において、記録再生ヘッド７の磁気記録素子８と磁気再生素子９との半径方向における距離を検出する距離検出動作を行うことが好ましい。磁気記録再生装置２の記録再生ヘッド７には個体差があるため、該記録再生ヘッド７の磁気記録素子８と磁気再生素子９との半径方向における距離についても、記録再生ヘッド７毎に異なる可能性が高い。
【０１９９】
従って、磁気記録再生装置２の初期動作において上記距離を検出することにより、磁気記録再生装置２は、この距離が所定の値（例えば、磁気記録素子８と磁気再生素子９との距離が０）とは異なる場合であっても、記録時に磁気記録素子８がオフトラックになること防ぐことができる。すなわち、磁気記録再生装置２は、記録再生ヘッド７の個体差に起因した磁気記録素子８のオフトラックによる記録エラー、及び記録エラーに伴う再生エラーの増加を抑制することができる。ここで、上記距離を検出する場合の磁気記録再生装置２の初期動作としては、例えば、以下の動作が考えられる。
【０２００】
まず、磁気記録再生装置２は、任意の記録再生ヘッド７の位置（磁気記録媒体１の半径位置）において、磁気記録素子８による記録動作と磁気再生素子９による再生動作とを行い、磁気再生素子９が検出する再生信号から得られるエラーレートを記憶する。そして、磁気記録再生装置２は、上記記録動作、再生動作及びエラーレートの記憶動作を、記録再生ヘッド７の半径位置毎に繰り返し行う。なお、磁気記録再生装置２は、再生信号のエラーレートを記憶すると共に、このエラーレートに対応する、記録動作時の記録再生ヘッド７の半径位置と、再生動作時の記録再生ヘッド７の半径位置とを記憶する。
【０２０１】
次に、磁気記録再生装置２は、記憶したエラーレートから最小のエラーレートを検出することにより、該最小のエラーレートに対応する、記録動作時の記録再生ヘッド７の半径位置ｒ１と、再生動作時の記録再生ヘッド７の半径位置ｒ２とを決定する。すなわち、磁気記録再生装置２は、上記記憶動作時に記憶したエラーレートのうち、最小のエラーレートとなる上記記録動作を行ったときの記録再生ヘッド７の半径位置ｒ１とし、該最小のエラーレートとなる上記再生動作を行ったときの記録再生ヘッド７の半径位置ｒ２とする。磁気記録再生装置２は、決定した半径位置ｒ１、ｒ２から、磁気記録素子８と磁気再生素子９との半径方向における距離を（ｒ１−ｒ２）と決定する。
【０２０２】
そして、磁気記録再生装置２は、決定した上記距離（ｒ１−ｒ２）を記憶しておくことにより、磁気再生素子９がこの距離分だけオフトラックした状態で、記録時のトラッキング制御を行う。
【０２０３】
〔実施形態４〕
本発明の他の実施形態について図１３〜図１７に基づいて説明すると以下の通りである。なお、実施形態１〜３と同一の機能を有する部材については、同一の符号を付記し、その説明は省略する。
【０２０４】
〔光記録再生装置１９の概略構成〕
図１３は、本発明に係る光記録媒体（情報記録媒体）１８に対して記録再生を行う光記録再生装置１９の概略構成を示す図である。光記録再生装置１９は、図１３に示すように、サスペンション３と、スピンドル４と、ボイスコイルモーター５と、ランプ機構６と、記録再生ヘッド２０とを備えている。また、図１３では、光記録再生装置１９は、光記録媒体１８を備えた構成となっている。光記録再生装置１９は、サスペンション３に備えられた記録再生ヘッド７の代わりに記録再生ヘッド２０が備えられていること、及び光記録媒体１８に対して光情報を記録再生する点で磁気記録再生装置２とは異なる。
【０２０５】
すなわち、磁気記録再生装置２と同様、スピンドル４は、光記録再生装置１９が光記録媒体１８に情報の記録再生を行うときに、光記録媒体１８を反時計周り（図１３の矢印方向）に回転させるものである。なお、光記録媒体１８の中心部にはスピンドル４と嵌合可能なように穴部が形成されている。
【０２０６】
また、サスペンション３は、サスペンション３に備えられた記録再生ヘッド２０を光記録媒体１８の半径方向に移動させるボイスコイルモーター５に固定され、その反対側の先端に、光記録媒体１８に対して情報の記録再生を行う記録再生ヘッド２０を備えている。すなわち、記録再生ヘッド２０は、ボイスコイルモーター５の作動に応じて、光記録媒体１８に対する半径位置を変更させることができる。さらに、ランプ機構６は、光記録媒体１８に情報の記録再生を行わないときに、記録再生ヘッド２０が退避する場所である。
【０２０７】
なお、光記録媒体１８の構造、及び光記録再生装置１９による光記録媒体１８の記録再生方法については、後に詳述する。
【０２０８】
次に、図１４を用いて、記録再生ヘッド２０の概略構成について説明する。図１４は、記録再生ヘッド２０の概略構成を示す説明図である。
【０２０９】
図１４に示すように、記録再生ヘッド２０は、受光素子２１及び近接場光発生部（発光素子）２２を備えている。受光素子２１は、光記録媒体１８に記憶された情報を再生するときに、光記録セル（情報記録セル、第１〜第３の情報記録セル）２７からの散乱光を受光するものである。また、受光素子２１は、トラッキング制御用及び記録タイミング用の信号を検出する。
【０２１０】
近接場光発生部２２は、半導体レーザ光源２６（図１５（ａ）にて図示）から光が照射されることによって、近接場光を発生させるものである。具体的には、近接場光発生部２２は、微小開口部２３を備えており、半導体レーザ光源２６から出射された光が該微小開口部２３に照射されることにより、微小開口部２３付近に近接場光が発生する。なお、近接場光とは、物質に光を照射したときに物質表面に生じる光であって、伝播せず物質表面のごく限られた近傍にのみ局在する光である。
【０２１１】
また、受光素子２１と近接場光発生部２２との光記録媒体１８から見た円周方向における位置関係は、記録再生ヘッド２０が回転する光記録媒体１８の任意の位置を通過するとき、この任意の位置上を受光素子２１が先に通過し、近接場光発生部２２がその後に通過するような位置関係となっている。
【０２１２】
なお、本実施形態に係る記録再生ヘッド２０では、近接場光発生部２２が、例えば金薄膜からなっている。また、微小開口部２３の平面サイズは、２００ｎｍ×３００ｎｍとなるように形成されている。
【０２１３】
以上のように、光記録再生装置１９は、スピンドル４及びサスペンション３の動作と、記録再生ヘッド２０による近接場光の発生及び散乱光の受光とを制御することにより、光記録媒体１８の所定の位置に記録再生を行うことができる。
【０２１４】
次に、図１５を用いて、記録再生ヘッド２０の製造方法について説明する。図１５は、記録再生ヘッド２０の製造方法を示す説明図であり、同図（ａ）は、半導体レーザ光源２６が形成された様子を示す図であり、同図（ｂ）は、受光素子２１と近接場光発生部２２とが形成された様子を示す図である。
【０２１５】
まず、図１５（ａ）に示すように、ＧａＡｓ基板２４上に、波長６５０ｎｍの光を出射可能な半導体レーザ光源２６を形成する。その後、図１５（ｂ）に示すように、半導体レーザ光源２６が形成されたＧａＡｓ基板２４上に、例えばＳｉＮ（窒化シリコン）またはＡｌＮ（窒化アルミニウム）からなる透明薄膜層２５を形成すると共に、透明薄膜層２５上に、受光素子２１と、微小開口部２３を有した近接場光発生部２２とを形成する。このとき、微小開口部２３を有した近接場光発生部２２は、半導体レーザ光源２６から出射された光が照射される位置となるように形成されている。
【０２１６】
なお、図１５（ｂ）では、近接場光発生部２２における微小開口部２３の形状は、四角形となっているが、これに限らず、円形、三角形等、微小開口部２３付近に近接場光を発生させる構成であればどのような構成であってもよい。
【０２１７】
また、近接場光を発生させる構成についても、上記記録再生ヘッド２０に限らず、光ファイバー等を用いて近接場光を発生させてもよい。さらに、半導体レーザ光源２６、受光素子２１及び近接場光発生部２２を備えた記録再生ヘッド２０を、例えば半導体レーザ光源２６、受光素子２１及びＳＩＬ（Solid Immersion Lens）型の近接場光発生素子を具備した、光ピックアップタイプの記録再生ヘッドに置き換えてもよい。
【０２１８】
〔光記録媒体１８の概略構成及び製造方法〕
次に、図１６を用いて、光記録媒体１８の概略構成及び製造方法について説明する。図１６は、光記録媒体１８の概略構成を示すものであり、光記録媒体１８に備えられた第１の情報記録セル群１２と第２の情報記録セル群１３との境界部分を示す図である。
【０２１９】
光記録媒体１８は、実施形態１と同様、孤立した光記録セルを配列したパターンドメディアであり、図１６に示すように、ユーザデータ領域１０と、光記録セル２７と、第１の情報記録セル群１２と、第２の情報記録セル群１３とを備えている。また、図１６に示す１２ｗ、１３ｗは、それぞれ第１の情報記録セル群１２及び第２の情報記録セル群１３の、光記録媒体１８の円周方向に対する幅を示している。
【０２２０】
光記録セル２７（後述の光記録セル２８Ａ、２８Ｂ、２９Ａ及び２９Ｂを含む）は、ユーザデータ領域１０に孤立して配列された円柱状のセルであり、光記録再生装置１９によって光情報が記録再生されるものである。また、光記録セル２７は、所定のトラックピッチ（例えば、７０ｎｍ）で隣接するトラックに形成された光記録セル２７と互い違いになるように配置されている。なお、本実施形態に係る光記録媒体１８の光記録セル２７の大きさは、直径４０ｎｍ及び高さ４０ｎｍとなっているが、これに限らず、直径５ｎｍ〜１００ｎｍ及び高さ１０ｎｍ〜６０ｎｍとなっていればよい。
【０２２１】
ここで、光記録セル２７が「隣接するトラックに形成された光記録セル２７と互い違いになるように配置されている」とは、以下の２つの条件を示すことを意味する。１つの条件としては、光記録セル２７の円周方向における周方向位置（光記録媒体１８の円周方向における位置）と、該光記録セル２７が形成されたトラックと隣接するトラックに形成された光記録セル２７の周方向位置とが同じ位置ではないことである。もう１つの条件としては、同じトラック上で隣り合った２つの光記録セル２７間の任意の周方向位置に、該トラックと隣接するトラックに形成された光記録セル２７が１つ存在することである。
【０２２２】
上記のように配置された複数の光記録セル２７は、図１６に示すように、光記録媒体１８の円周方向に対する幅１２ｗを有する第１の情報記録セル群１２と、光記録媒体１８の円周方向に対する幅１３ｗを有する第２の情報記録セル群１３とを形成している。そして、第１の情報記録セル群１２と第２の情報記録セル群１３とは、光記録媒体１８の円周方向に対して交互になるように配置されている。また、複数の磁気記録セル１１が形成される各トラック間のトラックピッチは、第１の情報記録セル群１２及び第２の情報記録セル群の各トラックにおいて等しくなるように形成されている。
【０２２３】
さらに、交互に配置された第１の情報記録セル群１２及び第２の情報記録セル群１３において、第２の情報記録セル群１３の各トラックの半径方向における半径位置は、図１６に示すように、上記第１の情報記録セル群の各トラックの半径方向における半径位置とトラックピッチの半分だけ異なっている。図１６（ａ）に示す光記録媒体１８では、第１の情報記録セル群１２の光記録セル２７が形成される各トラックの半径位置は、第２の情報記録セル群１３の光記録セル２７が形成される各トラック位置の半径位置より半分だけ外周側に配置されている。ここで、「半径方向における半径位置」とは、光記録媒体１８の半径方向における半径位置を指す。
【０２２４】
上記光記録媒体１８では、第２の情報記録セル群１３の各トラックの半径位置が、第１の情報記録セル群１２の各トラックの半径位置に対して、トラックピッチの半分だけ異なるように配置された構成となっているが、これに限られたものではない。すなわち、実施形態１でも述べたように、光記録媒体１８の構成が、上記第１の情報記録セル群１２と第２の情報記録セル群１３との配置関係がトラックピッチの半分から僅かにずれている構成であってもよい。
【０２２５】
なお、光記録セル２７の形状は、円柱状に限られるものではなく、例えば四角柱状、楕円柱状、球状等であってもよく、孤立した光記録セル２７に光情報が記録できればどのような形状であってもよい。また、光記録媒体１８では、任意の光記録セル２７は、その周方向位置が、隣接するトラックにおいて隣り合った２つの光記録セル２７の中心位置となるように形成されている。なお、光記録媒体１８においても、実施形態３に係る磁気記録媒体１ｃと同様、任意の光記録セル２７のその周方向位置が、隣接するトラックにおいて隣り合った２つの光記録セル２７の中心位置とは異なる位置に形成されていてもよい。
【０２２６】
また、光記録媒体１８の回転方向は、図１６に示すように、紙面右から左（矢印方向）となっているため、光記録再生装置１９は、光記録媒体１８に配列された光記録セル２７に対して紙面左から順に信号検出していく。また、光記録媒体１８は、照射されるレーザ光によって光記録セル２７の結晶性を変化させることで、光記録再生装置１９の近接場光発生部２２で発生した再生時の近接場光による散乱光の強度が変化するタイプの媒体である。
【０２２７】
以下、光記録媒体１８の製造方法の一例を示す。まず、ガラス基板上にレジストを塗布し、電子線リソグラフィー法によって、レジストに微細パターンを形成した後、光記録セル２７を形成する材料を、この微細パターンが形成されたレジスト上に成膜する。その後、有機溶剤を用いて、レジストとレジスト上に堆積した光記録セル２７を形成する材料とを除去した後、この基板上に誘電体層を成膜する。そして、この基板の誘電体層側から研磨を行うことで、光記録セル２７を表面に露出させると共に、基板表面を平滑にする。最後に、光記録セル２７が形成された基板に対して潤滑剤を塗布する。
【０２２８】
なお、光記録セル２７を形成する材料としては、光記録再生装置１９から光が照射されることによって（熱を加えられることによって）、その結晶性が変化する材料であればどのような材料であってもよい。例えば、光記録セル２７を形成する材料としては、ＧｅＳｂ、ＧｅＳｂＴｅ、ＡｇＩｎＳｂＴｅ合金等を用いることができる。また、レジストへの微細パターンの形成方法としては、例えば、陽極酸化法、フォトリソグラフィー法、ナノインプリント法等を用いることが可能である。
【０２２９】
また、上記光記録媒体１８の製造方法では、光記録媒体１８の片面にのみ光記録面（すなわち、光記録セル２７を有する面）を形成しているが、これに限らず、光記録媒体１８の両面に光記録面を形成してもよい。この場合には、上記製造方法に示す工程が、光記録媒体１８の両面に対して実施されればよい。なお、光記録媒体１８の両面に形成される光記録面への潤滑剤の塗布については、同時に行うことも可能である。
【０２３０】
なお、本実施形態に係る光記録媒体１８では、第１の情報記録セル群１２と第２の情報記録セル群１３とが同じ幅となるように形成されており、それぞれの円周方向の幅１２ｗ、１３ｗは、６０μｍとなっている。なお、これら円周方向の幅１２ｗ、１３ｗが２０μｍ〜１５０μｍ程度となるように、光記録媒体１８が形成されていればよい。
【０２３１】
〔光記録媒体１８の記録再生方法〕
以下、光記録再生装置１９が光記録媒体１８に対して光情報を記録再生する方法について、図１６及び図１７を用いて説明する。図１６は、光記録媒体１８に備えられた第１の情報記録セル群１２と第２の情報記録セル群１３との境界部分を示す図である。なお、図１６（ａ）は、再生時におけるトラッキング制御に関し、光記録再生装置１９が、第１の情報記録セル群１２の光記録セル２８Ａから第２の情報記録セル群１３の方向に向かって、トラックＴｒ１２に沿って、信号を検出していく場合を示す説明図である。また、図１６（ｂ）は、再生時におけるトラッキング制御に関し、光記録再生装置１９が、第２の情報記録セル群１３の光記録セル２９Ａから第１の情報記録セル群１２の方向に向かって、トラックＴｒ１３に沿って、信号を検出していく場合を示す説明図である。
【０２３２】
光記録再生装置１９は、光記録媒体１８に記録された情報を再生するときには、記録再生ヘッド２０の半導体レーザ光源２６が、近接場光発生部２２に対して、比較的弱いパワー（例えば、０．５ｍＷ）のレーザ光を照射する。そして、記録再生ヘッド２０の受光素子２１は、近接場光発生部２２において発生した近接場光による、光記録媒体１８の光記録セル２７からの散乱光を検出する。光記録再生装置１９は、受光素子２１が検出する、光記録媒体１８からの散乱光の強度を検出することで、光記録媒体１８に記録された情報を再生することができる。
【０２３３】
また、光記録再生装置１９は、光記録媒体１８に情報を記録するときには、半導体レーザ光源２６は、近接場光発生部２２に対して、上記再生時におけるレーザ光のパワーよりも強いパワー（例えば、５ｍＷ）のレーザ光を照射する。このレーザ光が光記録媒体１８の光記録セル２７に照射されることにより、光記録セル２７を形成する材料の結晶性が変化する。これにより、光記録再生装置１９は、光記録セル２７に情報を記録することができる。そして、光記録媒体１８は、光記録セル２７の結晶性を変化させることで、光記録再生装置１９の近接場光発生部２２で発生した再生時の近接場光による散乱光の強度を、光記録セル２７毎に変化させることができる。
【０２３４】
まず、図１６（ａ）に示す場合、すなわち、再生時におけるトラッキング制御に関し、光記録再生装置１９が、光記録セル２８Ａから第２の情報記録セル群１３の方向に向かって、トラックＴｒ１２に沿って、信号を検出していく場合について考える。
【０２３５】
この場合、光記録再生装置１９は、光記録媒体１８を紙面右から左に回転させる。このため、受光素子２１は、光記録セル２８Ａのような、トラックＴｒ１２に対して内周側（紙面の下側）にある光記録セル２７と、光記録セル２８Ｂのような、トラックＴｒ１２に対して外周側（紙面の上側）にある光記録セル２７とを交互に検出していく。すなわち、本実施形態では、受光素子２１は、光記録セル２８Ａから第２の情報記録セル群１３に進入する直前までに、第１の情報記録セル群１２における８個の光記録セル２７からの信号を検出する。なお、この８個の光記録セル２７には、受光素子２１によって検出される順に、光記録セル２８Ａから、再生時の近接場光による散乱光の強度が弱、強、強、弱、強、強、強、弱となるように記録されているものとする。
【０２３６】
このように、受光素子２１が、図１６（ａ）に示す光記録媒体１８のトラックＴｒ１２に沿って検出したときの信号の模式図を図１７に示す。図１７は、受光素子２１が、図１６（ａ）に示す光記録媒体１８のトラックＴｒ１２に沿って信号を検出したときの検出信号を示す模式図である。なお、図１７（ａ）は、第２の情報記録セル群１３においてオントラックである時の、第１の情報記録セル群１２及び第２の情報記録セル群１３から検出された検出信号Ｔｒ１２ｓを示す模式図である。また、図１７（ｂ）は、記録再生ヘッド２０が図１６（ａ）に示すトラックＴｒ１２から内周側（紙面の下側）に僅かに位置ずれを起こしている場合に、第１の情報記録セル群１２から検出される検出信号１２ｓを示す模式図であり、図１７（ｃ）は、記録再生ヘッド２０が、図１６（ａ）のトラックＴｒ１２から外周側（紙面の上側）に僅かに位置ずれを起こしている場合に、第１の情報記録セル群１２から検出される検出信号１２ｓを示す模式図である。
【０２３７】
図１７（ａ）では、第１の情報記録セル群１２及び第２の情報記録セル群１３から検出される信号をそれぞれ、１２ｓ及び１３ｓで示しており、第２の情報記録セル群１３からの検出信号１３ｓについては、１つ目の光記録セル２７に対応する検出信号のみを図示している。すなわち、検出信号１３ｓについては、それ以降の光記録セル２７から検出される信号についての図示を省略している。また、図１７（ａ）において、検出信号１２ｓが上に凸及び下に凸を示す波形はそれぞれ、光記録セル２７に対して近接場光が照射されたときの散乱光の強度が強い場合及び弱い場合を示している。
【０２３８】
まず、記録再生ヘッド２０が光記録媒体１８のトラックＴｒ１２に対してオントラックである場合、検出信号１２ｓのスライスレベル１４からの振幅ｈ１は、トラックＴｒ１２に対して内周側にある光記録セル２７と外周側にある光記録セル２７とで等しくなる。この場合、光記録再生装置１９では、光記録媒体１８に対する記録再生ヘッド２０の半径位置を調整することなく、第１の情報記録セル群１２から第２の情報記録セル群１３に進入して検出信号１３ｓを検出することにより、磁気記録セル１１に記録された情報の再生を開始することが可能である。
【０２３９】
すなわち、図１７（ａ）からわかるように、再生すべき領域（ここでは、第２の情報記録セル群１３）に進入したときは、受光素子２１が光記録セル２７の直上を通過するため、検出信号１３ｓの振幅ｈ２が検出信号１２ｓの振幅ｈ１よりも大きくなる。このため、光記録再生装置１９は、大きな振幅ｈ２の検出信号１３ｓをトリガーとして、この検出信号１３ｓに対応する光記録セル２７に記録された情報の再生を開始することができる。従って、第２の情報記録セル群１３においては、光記録再生装置１９は、トラッキング制御を行うことなく、光記録セル２７に記録された情報の再生だけを行うことが可能である。
【０２４０】
なお、上記のスライスレベル１４とは、光記録セル２７での近接場光による散乱光の強度が強いときに検出される信号と、該強度が弱いときに検出される信号との中心値であって、誘電体層での近接場光による散乱光の強度を示す値を指す。
【０２４１】
次に、記録再生ヘッド２０が光記録媒体１８のトラックＴｒ１２に対してオフトラックである場合、第１の情報記録セル群１２から検出される検出信号１２ｓは、図１７（ａ）に示す場合と異なり、第１の情報記録セル群１２の光記録セル２７に対応する検出信号１２ｓのピーク値がひとつおきに大きく又は小さくなる。
【０２４２】
すなわち、図１７（ｂ）に示すように、記録再生ヘッド２０が、トラックＴｒ１２から内周側に僅かに位置ずれを起こした場合には、トラックＴｒ１２の内周側にある光記録セル２７に対応する検出信号１２ｓの振幅ｈ３は、図１７（ａ）に示す振幅ｈ１よりも大きくなる。一方で、トラックＴｒ１２の外周側にある光記録セル２７に対応する検出信号１２ｓの振幅ｈ４は、図１７（ａ）に示す検出信号１２ｓの振幅ｈ１よりも小さくなる。従って、光記録再生装置１９は、この検出信号１２ｓの振幅差（ｈ３−ｈ４）を検出して、振幅ｈ３と振幅ｈ４とが等しく（すなわち、ｈ３−ｈ４＝０）なるように、記録再生ヘッド２０の半径位置を外周側にずらしてトラックＴｒ１２に戻るようにフィードバック制御を行う。
【０２４３】
一方、図１７（ｃ）に示すように、記録再生ヘッド２０が、トラックＴｒ１２から外周側に僅かに位置ずれを起こした場合には、トラックＴｒ１２の内周側にある光記録セル２７に対応する検出信号１２ｓの振幅ｈ６は、図１７（ａ）に示す振幅ｈ１よりも小さくなる。一方で、トラックＴｒ１２の外周側にある光記録セル２７に対応する検出信号１２ｓの振幅ｈ５は、図１７（ａ）に示す検出信号１２ｓの振幅ｈ１よりも大きくなる。従って、光記録再生装置１９は、この検出信号１２ｓの振幅差（ｈ５−ｈ６）を検出して、振幅ｈ５と振幅ｈ６とが等しくなる（すなわち、ｈ５−ｈ６＝０）ように、記録再生ヘッド２０の半径位置を内周側にずらしてトラックＴｒ１２に戻るようにフィードバック制御を行う。
【０２４４】
つまり、光記録再生装置１９は、トラックＴｒ１２に対してオフトラックである場合であっても、第１の情報記録セル群１２を通過する間にトラックＴｒ１２に対してオントラックになるようにフィードバック制御を行う。このため、光記録再生装置１９は、記録再生ヘッド２０が第２の情報記録セル群１３に進入すると、検出信号１２ｓのピーク値よりも検出信号１３ｓのピーク値が大きくなることをトリガーとして、トラックＴｒ１２の第２の情報記録セル群１３の光記録セル２７に記録された情報を再生する。そして、光記録再生装置１９は、記録再生ヘッド２０が再び第１の情報記録セル群１２に進入すると、受光素子２１が検出する信号のピーク値が小さくなることをトリガーとして、トラッキング制御用の信号検出を行う。すなわち、光記録再生装置１９は、検出信号１３ｓよりもピーク値の小さい検出信号１２ｓを検出したことをトリガーとして、上述のように、受光素子２１が検出する検出信号１２ｓのピーク値が一定となるように、フィードバック制御を行う。
【０２４５】
従って、記録再生ヘッド２０が第１の情報記録セル群１２と第２の情報記録セル群１３とに対する進入を繰り返すことにより、光記録再生装置１９は、よりオフトラック量の少ない状態で、所定トラックの第２の情報記録セル群１３の光記録セル２７に記録された情報を再生する。これにより、光記録再生装置１９は、光記録媒体１８にサーボパターン用の領域を形成することなく、光記録媒体１８の光記録セル２７に記録された情報を正確に再生することが可能となり、再生エラーを少なくすることができる。
【０２４６】
次に、光記録再生装置１９が光記録媒体１８の光記録セル２７に情報を記録する場合について説明する。光記録再生装置１９が記録時にトラッキング制御を行う場合については、上述した再生時の場合と同様に行うことができる。
【０２４７】
但し、記録時には、光記録再生装置１９は、第１の情報記録セル群１２からの検出信号１２ｓをもとに、第２の情報記録セル群１３の光記録セル２７に情報を記録させるタイミングを求め、このタイミングでこの光記録セル２７に情報を記録する必要がある。このタイミングを求め方については、例えば以下に示す方法がある。
【０２４８】
上述したように、光記録再生装置１９が光記録媒体１８を回転させているとき、記録再生ヘッド２０の近接場光発生部２２は、受光素子２１が光記録媒体１８の任意の位置を通過した後に、その位置を通過する構成となっている。従って、例えば光記録再生装置１９は、第２の情報記録セル群１３に記録再生ヘッド２０が進入して、検出信号１２ｓよりもピーク値の大きい検出信号１３ｓを検出したことをトリガーとして、所定の時間経過後に、近接場光発生部２２が情報記録用の近接場光を発生させる構成としてもよい。すなわち、光記録再生装置１９は、検出信号１３ｓを検出したときに、半導体レーザ光源２６から照射されるレーザ光パワーを再生時よりも強いレーザ光パワーに切り替え、近接場光発生部２２において再生時よりも強い近接場光を発生させる構成としてもよい。
【０２４９】
ここで、所定の時間とは、受光素子２１が第２の情報記録セル群１３に進入して、最初の光記録セル２７のピーク値を検出してから、近接場光発生部２２がこの光記録セル２７を通過するときまでの時間を示している。この所定の時間は、例えば光記録媒体１８の回転速度と、受光素子２１及び近接場光発生部２２の距離とから算出される。
【０２５０】
また、例えば光記録再生装置１９は、第１の情報記録セル群１２で検出した検出信号１２ｓのピーク値をカウントしておくことによって、近接場光発生部２２が第２の情報記録セル群１３に進入するタイミングを求める構成であってもよい。
【０２５１】
光記録再生装置１９は、記録再生ヘッド２０が第２の情報記録セル群１３から再び第１の情報記録セル群１２に進入すると、受光素子２１が検出する信号のピーク値が小さくなることをトリガーとして、トラッキング制御（上述したフィードバック制御）と記録タイミングの調整とを行う。すなわち、光記録再生装置１９は、近接場光発生部２２が再び第１の情報記録セル群１２に進入して、検出信号１３ｓよりもピーク値の小さい検出信号１２ｓを検出したことをトリガーとして、第１の情報記録セル群１２においてトラッキング制御と記録タイミング制御とを行う。
【０２５２】
従って、記録再生ヘッド２０が第１の情報記録セル群１２と第２の情報記録セル群１３とに対する進入を繰り返すことにより、光記録再生装置１９は、オフトラック量（すなわち、記録したい光記録セル２７との位置ずれ）がより少ない状態で、この光記録セル２７に記録を行うことができる。すなわち、光記録再生装置１９は、記録タイミング制御用の信号を検出するための領域を光記録媒体１８に形成することなく、所望の光記録セル２７への記録を正確に行うことが可能となり、記録エラーを少なくすることができる。
【０２５３】
なお、光記録再生装置１９が第２の情報記録セル群１３の光記録セル２７に対して情報の記録再生を行うときには、受光素子２１は、第１の情報記録セル群１２の光記録セル２７からトラッキング制御用の信号（すなわち、検出信号１２ｓ）を検出する。すなわち、光記録再生装置１９は、光記録媒体１８に２つの情報記録セル群が備えられているため、情報の記録再生を行うパターンとトラッキング制御用のパターンとを分けて信号検出を行う。
【０２５４】
これにより、受光素子２１は、トラッキング制御用の信号と再生信号とを時間的に分離して検出することができる。従って、光記録再生装置１９は、検出される信号から、トラッキング制御用の信号と再生信号とを分離する必要がないため、これらの信号を分離するための回路を必要としないという効果を奏する。
【０２５５】
ここで、上記では、光記録再生装置１９が第２の情報記録セル群１３に対して記録再生を行う場合について説明したが、光記録再生装置１９は、第１の情報記録セル群１２に対して記録再生を行う場合も同様の制御を行う。この場合について、図１６（ｂ）を用いて説明する。
【０２５６】
すなわち、第１の情報記録セル群１２に対する記録再生の場合、第２の情報記録セル群１３に対する記録再生の場合とは逆に、第２の情報記録セル群１３が、第１の情報記録セル群１２のトラッキング制御用及び記録タイミング制御用の信号が検出されるパターンとなる。
【０２５７】
図１６（ｂ）に示すように、光記録再生装置１９は、光記録媒体１８を紙面右から左に回転させる。このため、記録再生ヘッド２０は、トラックＴｒ１３に沿って、第２の情報記録セル群１３の光記録セル２９Ａ、２９Ｂの順に、第１の情報記録セル群１２の方向に光記録セル２７からの信号を検出する。そして、光記録再生装置１９は、記録再生ヘッド２０が検出した各信号の振幅の偏差をなくすようにフィードバック制御を行うことによって、光記録媒体１８の再生を行う。また、記録時には、光記録再生装置１９は、第２の情報記録セル群１３で検出される信号をもとに、トラッキング制御及び記録タイミング制御を行う。
【０２５８】
以上のように、光記録媒体１８は、光記録再生装置１９に対して、ユーザデータ領域１０からの検出信号をトラッキング制御用又は記録タイミング制御用の信号として利用させるため、記憶容量を低下させることなく、記録再生ヘッド２０の位置合わせを高精度に行わせることができる。一方、光記録再生装置１９は、光記録媒体１８に対して記録再生を行う場合には、再生エラー及び記録エラーを少なくすることができるため、従来の光記録媒体に対して記録再生を行う場合よりも、正確に記録再生を行うことができる。すなわち、光記録媒体１８のユーザデータ領域１０の記憶容量を低下させることなく、記録エラー及び再生エラーを少ない光記録再生装置１９を提供することが可能となる。
【０２５９】
また、光記録媒体１８は、上述のように、記録再生ヘッド２０が第１の情報記録セル群１２と第２の情報記録セル群１３とに対して交互に進入を繰り返すため、光記録再生装置１９に対して、高い頻度でトラッキング制御用又は記録タイミング制御用の信号を検出させることができる。
【０２６０】
なお、本実施形態に係る光記録媒体１８は、上述の実施形態１と同様、図６（ａ）に示すように、第１の情報記録セル群１２と第２の情報記録セル群１３との境界部に、セクタを分けるためのセクタ分離パターン１５を設けていてもよい。また、光記録媒体１８は、図６（ｂ）に示すように、第２の情報記録セル群１３の任意の位置に、セクタ分離パターン１５を設けていてもよい。同様に、光記録媒体１８は、第１の情報記録セル群１２の任意の位置に、セクタ分離パターン１５を設けていてもよい。
【０２６１】
また、光記録媒体１８は、上述の磁気記録媒体１ａ、１ｂと同様、ユーザデータ領域１０に、情報の記録再生が行われるパターン（図１６（ａ）では第２の情報記録セル群１３）の各トラックを識別するトラック識別情報が記録されたアドレス領域を備えていてもよい。
【０２６２】
また、光記録再生装置１９が光記録媒体１８に対して再生を行う順番についても、様々な方法が考えられるが、例えば上述の実施形態１で説明した方法を適用することによって実現することができる。
【０２６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６４】
本発明に係る情報記録媒体は、例えばパターンドメディアのような高密度情報記録媒体に好適に利用できる。また、本発明に係る磁気記録再生装置及び光記録再生装置は、上記情報記録媒体に対して情報の記録再生を行う場合に好適である。
【図面の簡単な説明】
【０２６５】
【図１】本発明の一実施形態に係る磁気記録媒体の概略構成を示す図である。
【図２】図１に示す磁気記録媒体に対して記録再生を行う磁気記録再生装置の概略構成を示す図である。
【図３】図２に示す磁気記録再生装置の記録再生ヘッドの概略構成を示す図である。
【図４】図１に示す磁気記録媒体に備えられた第１の情報記録セル群と第２の情報記録セル群との境界部分を示す図であり、同図（ａ）は、再生時におけるトラッキング制御に関し、図２に示す磁気記録再生装置が、第１の情報記録セル群の磁気記録セルから第２の情報記録セル群の方向に向かって、トラックＴｒ１に沿って、信号を検出していく場合を示す説明図であり、同図（ｂ）は、再生時におけるトラッキング制御に関し、図２に示す磁気記録再生装置が、第２の情報記録セル群の磁気記録セルから第１の情報記録セル群の方向に向かって、トラックＴｒ２に沿って、信号を検出していく場合を示す説明図である。
【図５】図３に示す磁気再生素子が、図４（ａ）に示す磁気記録媒体のトラックＴｒ１に沿って信号を検出したときの検出信号を示す模式図であり、同図（ａ）は、第２の情報記録セル群においてオントラックである時の、第１の情報記録セル群及び第２の情報記録セル群から検出された検出信号Ｔｒ１ｓを示す模式図であり、同図（ｂ）は、図２に示す記録再生ヘッドが、図４（ａ）に示すトラックＴｒ１から内周側（紙面の下側）に僅かに位置ずれを起こしている場合に、第１の情報記録セル群から検出される検出信号１２ｓを示す模式図であり、同図（ｃ）は、記録再生ヘッドが、図４（ａ）のトラックＴｒ１から外周側（紙面の上側）に僅かに位置ずれを起こしている場合に、第１の情報記録セル群から検出される検出信号１２ｓを示す模式図である。
【図６】図１に示す磁気記録媒体にセクタ分離パターンが設けられた場合の概略構成を示す図であり、同図（ａ）は、セクタ分離パターンを第１の情報記録セル群と第２の情報記録セル群との間に設けたときの磁気記録媒体の概略構成を示す図あり、同図（ｂ）は、セクタ分離パターンを第２の情報記録セル群の任意の位置に設けたときの磁気記録媒体の概略構成を示す図ある。
【図７】本発明に係る他の実施形態に係る磁気記録媒体を示すものであり、ユーザデータ領域に磁気記録セルとアドレス領域とが形成された磁気記録媒体の概略構成を示す図である。
【図８】図３に示す記録再生ヘッドが、トラックＴｒ３又はトラックＴｒ４に沿って、アドレス領域の識別パターンから信号を検出したときの検出信号を示す模式図あり、同図（ａ）は、図３に示す記録再生ヘッドがトラックＴｒ３を沿って信号を検出した場合の検出信号Ｔｒ３ｓ（１６ｓ）を示す模式図であり、同図（ｂ）は、図３に示す記録再生ヘッドがトラックＴｒ４を沿って信号を検出した場合の検出信号Ｔｒ４ｓ（１６ｓ）を示す模式図である。
【図９】図７に示す磁気記録媒体の変形例を示すものであり、アドレス領域を有する磁気記録媒体の概略構成を示す図である。
【図１０】図３に示す記録再生ヘッドが、トラックＴｒ３又はトラックＴｒ４に沿って、アドレス領域の識別パターン及び第２の情報記録セル群の磁気記録セルから信号を検出したときの検出信号を示す模式図あり、同図（ａ）は、図３に示す記録再生ヘッドがトラックＴｒ５を沿って信号を検出した場合の検出信号Ｔｒ５ｓを示す模式図であり、同図（ｂ）は、図３に示す記録再生ヘッドがトラックＴｒ６を沿って信号を検出した場合の検出信号Ｔｒ６ｓを示す模式図である。
【図１１】本発明に係るさらに他の実施形態に係る磁気記録媒体を示すものであり、該磁気記録媒体の第２の情報記録セル群の概略構成を示す図である。
【図１２】図３に示す記録再生ヘッドが、トラックＴｒ１１に沿って、図１１に示す磁気記録媒体の第２の情報記録セル群の磁気記録セルから信号を検出したときの検出信号１３ｓを示す模式図である。
【図１３】図１６に示す光記録媒体に対して記録再生を行う光記録再生装置の概略構成を示す図である。
【図１４】図１３に示す光記録再生装置の記録再生ヘッドの概略構成を示す説明図である。
【図１５】図１４に示す記録再生ヘッドの製造方法を示す説明図であり、同図（ａ）は、半導体レーザ光源が形成された様子を示す図であり、同図（ｂ）は、受光素子と近接場光発生部とが形成された様子を示す図である。
【図１６】本発明のさらに他の実施形態に係る光記録媒体の概略構成を示すものであり、光記録媒体に備えられた第１の情報記録セル群と第２の情報記録セル群との境界部分を示す図であり、同図（ａ）は、再生時におけるトラッキング制御に関し、図１３に示す光記録再生装置が、第１の情報記録セル群の磁気記録セルから第２の情報記録セル群の方向に向かって、トラックＴｒ１２に沿って、信号を検出していく場合を示す説明図であり、同図（ｂ）は、再生時におけるトラッキング制御に関し、図１３に示す光記録再生装置が、第２の情報記録セル群の磁気記録セルから第１の情報記録セル群の方向に向かって、トラックＴｒ１３に沿って、信号を検出していく場合を示す説明図である。
【図１７】図１４に示す受光素子が、図１６（ａ）に示す光記録媒体のトラックＴｒ１２に沿って信号を検出したときの検出信号を示す模式図であり、同図（ａ）は、第２の情報記録セル群においてオントラックである時の、第１の情報記録セル群及び第２の情報記録セル群から検出された検出信号Ｔｒ１２ｓを示す模式図であり、同図（ｂ）は、図１４に示す記録再生ヘッドが図１６（ａ）に示すトラックＴｒ１２から内周側（紙面の下側）に僅かに位置ずれを起こしている場合に、第１の情報記録セル群から検出される検出信号１２ｓを示す模式図であり、同図（ｃ）は、図１４に示す記録再生ヘッドが、図１６（ａ）のトラックＴｒ１２から外周側（紙面の上側）に僅かに位置ずれを起こしている場合に、第１の情報記録セル群から検出される検出信号１２ｓを示す模式図である。
【符号の説明】
【０２６６】
１、１ａ〜１ｃ  磁気記録媒体（情報記録媒体）
２        磁気記録再生装置
７、２０  記録再生ヘッド
８        磁気記録素子
９        磁気再生素子
１０      ユーザデータ領域（データ領域）
１１      磁気記録セル（情報記録セル、第１〜第３の情報記録セル）
１２      第１の情報記録セル群
１３      第２の情報記録セル群
１６、１６ｂ  アドレス領域
１８      光記録媒体（情報記録媒体）
１９      光記録再生装置
２１      受光素子
２２      近接場光発生部（発光素子）
２７      光記録セル（情報記録セル、第１〜第３の情報記録セル）
Ｔｒ１〜Ｔｒ１３  トラック
【図１】
0004880578.tif 000002
【図２】
0004880578.tif 000003
【図３】
0004880578.tif 000004
【図４】
0004880578.tif 000005
【図５】
0004880578.tif 000006
【図６】
0004880578.tif 000007
【図７】
0004880578.tif 000008
【図８】
0004880578.tif 000009
【図９】
0004880578.tif 000010
【図１０】
0004880578.tif 000011
【図１１】
0004880578.tif 000012
【図１２】
0004880578.tif 000013
【図１３】
0004880578.tif 000014
【図１４】
0004880578.tif 000015
【図１５】
0004880578.tif 000016
【図１６】
0004880578.tif 000017
【図１７】
0004880578.tif 000018